(57)【要約】【課題】  支持基台の挿入孔に石膏が侵入せず、歯形模型を加工する際の作業でのぐらつきを防止できる歯科技工用作業模型に使用されるダウエルピン、支持基台及び挿入孔への石膏の侵入を防止し得る栓を提供する。【解決手段】 歯形模型が固定される石膏で形成されている固定用プレート106に植設される金属製のダウエルピンと、その挿入孔18が設けられた合成樹脂から形成されている支持基台102であって、ダウエルピンは上部本体部1は円柱状又は先端方向に向かって外径が狭められた円錐台状であり、下部本体部2は、先端部に向けて外径が漸減しており、その一部の側面がダウエルピン先端部まで長手方向に伸びる平坦面である変則的な略円錐台形状であり、且つ前記平坦面である側面を１つ又は２つ有しており、  支持基台はダウエルピン挿入孔の形状がダウエルピンの上部本体部と下部本体部が嵌合し得る形状の挿入孔を有する。【選択図】  図１１
2018033784.tif 000002
【特許請求の範囲】
【請求項１】
歯形模型が固定される石膏で形成されている固定用プレートに植設されるための金属製のダウエルピンと、前記ダウエルピンが挿入される挿入孔が設けられた合成樹脂から形成されている支持基台であって、
前記ダウエルピンは、固定用プレートに固定される固定用基端部と、固定用基端部の下に形成されている上部本体部と、前記上部本体部の下に形成されている下部本体部とからなり、前記ダウエルピンの前記上部本体部は円柱状又はダウエルピン先端方向に向かって若干外径が狭められている円錐台状であり、前記下部本体部は、ダウエルピン先端部に向けて外径が上部本体部より漸減しており、前記下部本体部の一部の側面がダウエルピン先端部まで長手方向に伸びる平坦面である変則的な略円錐台形状であり、且つ前記平坦面である側面を１つ又は２つ有しており、
前記合成樹脂から形成されている支持基台は、前記ダウエルピンが挿入される挿入孔の形状が、前記ダウエルピンの前記上部本体部と前記下部本体部が嵌合し得る形状の挿入孔であることを特徴とする歯科技工用作業模型に使用されるダウエルピン及び当該ダウエルピンが挿入される支持基台。
【請求項２】
前記ダウエルピンの上部本体部の長さが１．５〜２．５ｍｍであり、支持基台は、前記ダウエルピンが挿入される挿入孔の形状が、前記ダウエルピンの前記上部本体部と下部本体部が嵌合し得る形状の挿入孔を有する支持基台である請求項１に記載の歯科技工用作業模型に使用されるダウエルピン及び当該ダウエルピンが挿入される支持基台。
【請求項３】
ダウエルピンがその上部本体部がダウエルピン先端方向に向かって若干外径が狭められている円錐台状であるダウエルピンであり、前記外径が狭められる程度が先端方向に向かって角度で０．５〜３度であり、支持基台は、前記ダウエルピンが挿入される挿入孔の形状が、前記ダウエルピンの前記上部本体部及び下部本体部が嵌合し得る形状の挿入孔を有する支持基台である請求項１又は２のいずれか１項に記載の歯科技工用作業模型に使用されるダウエルピン及び当該ダウエルピンが挿入される支持基台。
【請求項４】
固定用プレートにおいて、支持基台の対向面に係止用凹部又は突部が設けられている固定用プレートを使用する場合、支持基台が、固定用プレートの係止用凹部又は突部が設けられている位置に対応する位置の支持基台の表面側に、前記固定用プレート対向面に設けられている係止用凹部又は突部に嵌合し得る係止用突部又は凹部が設けられている請求項１〜３のいずれか１項に記載の歯科技工用作業模型に使用されるダウエルピン及び当該ダウエルピンが挿入される支持基台。
【請求項５】
前記請求項１〜４のいずれか１項に記載の支持基台のダウエルピン挿入用の挿入孔でダウエルピンが挿入されない挿入孔への石膏が侵入するのを防止するための栓であって、当該栓は、
前記請求項１〜３のいずれか１項に記載のダウエルピンの固定用基端部のないダウエルピンと同一形状と寸法の上部本体部と下部本体部とからなる栓（A）、
または、前記栓（A）の下部本体部が長さ方向の途中でカットされて短くなった形状の上部本体部と下部本体部とからなる栓（B）、
または、前記栓（A）の上部本体部のみからなる栓（C）
または、前記栓（A）〜（C）のいずれかの栓の上部本体部の上端部に続けて更に頭部ブロックが形成された栓であって、前記頭部ブロックの上部から見た平面の面積は、前記栓の上部本体部の上端部の平面の面積より、大きな平面積を有する頭部ブロックであり、前記栓の上部本体部の上端部に相当する部分から当該頭部ブロックの最上面までの高さは、ダウエルピンの固定用基端部の長さと同一寸法にした頭部ブロック付栓（D）
のいずれかであることを特徴とする支持基台のダウエルピン挿入用の挿入孔でダウエルピンが挿入されない挿入孔への石膏侵入防止用栓。
【請求項６】
請求項５に記載の頭部ブロック付栓（D）が、支持基台の表面に係止用突部が設けられている支持基台を用いる場合にも適用できるように、当該支持基台の挿入孔に栓を装着した場合に、係止用突部に前記頭部ブロックの下面が接触しないように、少なくとも係止用突部の存在する部分の前記頭部ブロックの下面に切欠き部を設けるか、または、前記頭部ブロックの下面を係止用突部と接触しない高さに保って形成されている頭部ブロックの頭部ブロック付栓（D）であることを特徴とする請求項５に記載の石膏侵入防止用栓。
【請求項７】
前記栓が合成樹脂からなる栓である請求項５または６のいずれか１項に記載の石膏侵入防止用栓。
【発明の詳細な説明】
【技術分野】
【０００１】
本発明は、歯科治療などにおいて用いられる歯科技工用作業模型に使用されるダウエルピン、当該ダウエルピンが挿入される支持基台及び支持基台のダウエルピン挿入用の挿入孔でダウエルピンが挿入されない挿入孔に石膏が侵入するのを防止するための栓に関する。
【背景技術】
【０００２】
一般に、歯科治療などにおいて用いられる歯科技工用作業模型は、歯形模型が固定される固定用プレートと、固定用プレートに植設された複数のダウエルピンと、固定用プレートを支持するための支持基台と、を備えている。そして固定用プレートの上には、歯形模型が固定される（例えば、特許文献１、特許文献２参照）。支持基台は合成樹脂から形成され、その上面にはダウエルピンを挿入するための、複数の挿入孔及び必要に応じて設けられる係止用突部が設けられている。挿入孔は、支持基台の上面に間隔を置いて配設され、また必要に応じて設けられる係止用突部は、挿入孔の両側ないし片側に配設されている。固定用プレートは石膏から形成され、その下面には、支持基台の前記必要に応じて設けられる係止用突部に対応して前記係止用突部と嵌合させるための係止用凹部が設けられている。必要に応じて設けられる係止用突部が固定用プレート下面に設けられ、必要に応じて設けられる係止用凹部が支持基台の上面に設けられる組み合わせでもよい（以下、本発明の場合を含めて、前者のみで省略説明する場合があるが、後者の場合であってもよいことはもちろんである）。
【０００３】
固定用プレートに植設されたダウエルピンを支持基台の挿入孔に挿入することにより、固定用プレートが支持基台の上面に支持される。この支持状態では、支持基台の係止用突部と固定用プレートの係止用凹部が設けられている場合には前記係止用突部と係止用凹部とが相互に嵌合される。（以下、特に断らない限りこれら係止用突部や凹部が設けられているという好適な態様を踏まえて説明するが、本発明においては、後述するように、係止用突部や凹部を設けることは必須ではない）。そして、固定用プレート上に形成された歯形模型の所定部位を固定用プレートとともに切断し、切断した歯形模型が接合されている固定用プレートを支持基台の上面に支持させた状態で、切断した歯形模型を用いて所要の作業（例えば、歯冠補綴物の製作等）が行われる。このとき、周囲の歯との違和感が生じないよう配慮しながら歯冠補綴物等の形状を調整していくので、何度か、切断した歯形模型を支持基台に差し込んだり抜いたりして所定の歯冠補綴物等の形状を調整していく（特許文献１の図１の符号54[0055]、図１９（ｂ）の符号74Ｊ[0085]、特許文献２の図７の符号20[0024]等参照）。
【０００４】
そして、ダウエルピンは固定用プレートに固定される固定用基端部を除いて、一般的にはダウエルピンの長手方向に垂直な断面の形状とダウエルピンを挿入する挿入孔の長手方向に垂直な断面の形状は丸断面でダウエルピン先端方向に向かって漸次外径が狭められているタイプのものが最もよく使用されている。
【０００５】
切断した歯形模型を支持基台に差し込んでその形状を調整する場合、長手方向に垂直な断面の形状が丸断面のダウエルピンだと、回転を防ぐことができないので、下記特許文献１の特許公報である特許第5690908号公報、特許文献１に対する親出願から分割された特許第5750529号公報や特許文献１から分割された特許第5856664号公報に記載されたようなかなり厳密な固定用プレートの係止用凹部と支持基台の係止用突部とが相互に嵌合される設計にしないと、回転や揺れを防止することができない。すなわちダウエルピンが丸断面のダウエルピンと支持基台のダウエルピン挿入孔も丸断面の場合には、合成樹脂から形成された支持基台は、その上面には、前述した必要に応じて設けられる係止用突部と石膏から形成されている固定用プレートの下面には、支持基台の前記必要に応じて設けられる係止用突部に対応して係止用凹部を設けることが必須になる。ダウエルピンが丸断面のダウエルピンと支持基台のダウエルピン挿入孔も丸断面の場合には、仮に、支持基台の上面に係止用突部と石膏から形成されている固定用プレートの下面に係止用凹部が設けられるとしても、その配置や形状によっては、切断した歯形模型を支持基台に差し込んでその形状を調整する場合、回転を十分に防ぐことができないので、上述したように特許文献１の特許公報である特許第5690908号公報、特許文献１に対する親出願から分割された特許第5750529号公報や特許文献１から分割された特許第5856664号公報に記載されたようなかなり厳密な固定用プレートの係止用凹部と支持基台の係止用突部とが相互に嵌合される設計にするなどの配慮が必要になる。
【０００６】
そこで、特許文献２に示されるように、ダウエルピンの長手方向に垂直な断面の形状が丸形でない異形断面（非円形断面）のダウエルピンを採用し、前記ダウエルピンが挿入される挿入孔の長手方向に垂直な断面の形状が前記異形断面のダウエルピンの挿入が可能な対応する異形断面の挿入孔を採用した場合には（具体例としては、下記特許文献２の例えば図６の谷間１７を有するダウエルピン３とか、図１５のダウエルピン挿入用の連結穴５や図１５の連結穴５の形状など参照）、当該、ダウエルピンとその連結穴（挿入孔）の作用と下記特許文献２に記載の連結用突部ならびに連結用凹部の作用とにより、切断した歯形模型20（特許文献２の図７参照）を合成樹脂製支持基台のピン用の挿入孔に挿入したりはずしたりして補綴作業を行う場合において当該切断片を支持基台にはめ込んだ際に当該切断片が回転するなどの問題を比較的防止できると推定される。しかしながら、実際には、説明の参考のために特許文献１の図７と図８と[0051]〜[0054]の説明を参照して、異形断面のダウエルピンとその挿入孔に置き換えて説明すると、ダウエルピンの上から石膏52を注入空間50に注入して、ダウエルピン８が植設された固定用プレート6を形成するのであるが、異形断面のダウエルピンと異形断面の挿入孔を有する合成樹脂製支持基台を採用すると、筒状突部22の挿入孔１８とダウエルピン８との間への石膏の侵入を完全に防止することが難しくなり、ダウエルピン８の側面や合成樹脂からなる支持基台のダウエルピンの挿入孔の壁面などに石膏が付着して成形されるため、上記切断片を複数回挿入したりはずしたりして歯科模型の目的の歯の補綴作業を行う場合に、ダウエルピン８の側面やダウエルピンの挿入孔の壁面などに付着した石膏が挿入孔１８とダウエルピン８との摩擦で削れ落ち、挿入孔１８とダウエルピン８の間に隙間が生じ、結局、正確に切断片の位置をセットすることができなくなる欠点が発生するため、このような石膏のダウエルピンへの付着をなくすためという観点からは、ダウエルピンの長手方向に垂直な断面の形状が丸形断面のダウエルピンを採用し、このダウエルピンの挿入孔もその長手方向に垂直な断面の形状が丸形断面の挿入孔を採用することが望ましい。その理由は、合成樹脂製支持基台の場合、当該支持基台を合成樹脂から形成すると、成形時の収縮や膨張などにより異形断面の挿入孔が変形しやすく、一方、丸断面の場合には、定かではないが、挿入孔の周囲に均等に収縮力や膨張力が分散されるためか、変形が生じにくいので、ダウエルピンを支持基台の挿入孔に挿入した状態で上述したように、ダウエルピンの上から石膏52を注入空間50に注入して、ダウエルピン８が植設された固定用プレート6等を形成した場合に、ダウエルピンと支持基台の挿入孔との間に石膏が侵入することが防止できるものと思われる。
【先行技術文献】
【特許文献】
【０００７】
【特許文献１】特開２０１４−７９６２９号公報
【特許文献２】特開２００９−１００８８０号公報
【発明の概要】
【発明が解決しようとする課題】
【０００８】
本発明は、上述のような異形断面のダウエルピンの問題点を解決し、ダウエルピンの挿入孔等に石膏の侵入がなく、且つ、丸断面のダウエルピンとその支持基台を用いた場合の回転しやすさを改良した歯科技工用作業模型に使用するダウエルピン及び当該ダウエルピンが挿入される支持基台を提供することを目的とする。また更に、支持基台のダウエルピン挿入用の挿入孔でダウエルピンが挿入されない挿入孔が存在する場合に、当該挿入孔に石膏が侵入するのを防止するための栓を提供することを目的とする。
【課題を解決するための手段】
【０００９】
（１）本発明の歯科技工用作業模型に使用されるダウエルピン及び当該ダウエルピンが挿入される支持基台は、
歯形模型が固定される石膏で形成されている固定用プレートに植設されるための金属製のダウエルピンと、前記ダウエルピンが挿入される挿入孔が設けられた合成樹脂から形成されている支持基台であって、
前記ダウエルピンは、固定用プレートに固定される固定用基端部と、固定用基端部の下に形成されている上部本体部と、前記上部本体部の下に形成されている下部本体部とからなり、前記ダウエルピンの前記上部本体部は円柱状又はダウエルピン先端方向に向かって若干外径が狭められている円錐台状であり、前記下部本体部は、ダウエルピン先端部に向けて外径が上部本体部より漸減しており、前記下部本体部の一部の側面がダウエルピン先端部まで長手方向に伸びる平坦面である変則的な略円錐台形状であり、且つ前記平坦面の側面を１つ又は２つ有しており、
前記合成樹脂から形成されている支持基台は、前記ダウエルピンが挿入される挿入孔の形状が、前記ダウエルピンの前記上部本体部と前記下部本体部が嵌合し得る形状の挿入孔であることを特徴とする。
【００１０】
（２）  前記（１）項に記載の歯科技工用作業模型に使用されるダウエルピン及び当該ダウエルピンが挿入される支持基台においては、前記ダウエルピンの上部本体部の長さが１．５〜２．５ｍｍであり、支持基台は、前記ダウエルピンが挿入される挿入孔の形状が、前記ダウエルピンの前記上部本体部と下部本体部が嵌合し得る形状の挿入孔を有する支持基台であることが好ましい。
【００１１】
（３）前記（１）項又は（２）項のいずれか１項に記載の歯科技工用作業模型に使用されるダウエルピン及び当該ダウエルピンが挿入される支持基台においては、ダウエルピンがその上部本体部がダウエルピン先端方向に向かって若干外径が狭められている円錐台状であるダウエルピンであり、前記外径が狭められる程度が先端方向に向かって角度で０．５〜３度であり、支持基台は、前記ダウエルピンが挿入される挿入孔の形状が、前記ダウエルピンの前記上部本体部と下部本体部が嵌合し得る形状の挿入孔を有する支持基台であることが好ましい。
【００１２】
（４）前記（１）〜（３）項のいずれか１項に記載の歯科技工用作業模型に使用されるダウエルピン及び当該ダウエルピンが挿入される支持基台においては、固定用プレートにおいて、支持基台の対向面に係止用凹部又は突部が設けられている固定用プレートを使用する場合、支持基台が、固定用プレートの係止用凹部又は突部が設けられている位置に対応する位置の支持基台の表面側に、前記固定用プレート対向面に設けられている係止用凹部又は突部に嵌合し得る係止用突部又は凹部が設けられている支持基台であることが好ましい。
【００１３】
（５）本発明の支持基台のダウエルピン挿入用の挿入孔でダウエルピンが挿入されない挿入孔への石膏侵入防止用栓は、前記（１）〜（４）項のいずれか１項に記載の支持基台のダウエルピン挿入用の挿入孔でダウエルピンが挿入されない挿入孔への石膏が侵入するのを防止するための栓であって、当該栓は、
前記（１）〜（３）項のいずれか１項に記載のダウエルピンの固定用基端部のないダウエルピンと同一形状と寸法の上部本体部と下部本体部とからなる栓（A）、
または、前記栓（A）の下部本体部が長さ方向の途中でカットされて短くなった形状の上部本体部と下部本体部とからなる栓（B）、
または、前記栓（A）の上部本体部のみからなる栓（C）
または、前記栓（A）〜（C）のいずれかの栓の上部本体部の上端部に続けて更に頭部ブロックが形成された栓であって、前記頭部ブロックの上部から見た平面の面積は、前記栓の上部本体部の上端部の平面の面積より、大きな平面積を有する頭部ブロックであり、前記栓の上部本体部の上端部に相当する部分から当該頭部ブロックの最上面までの高さは、ダウエルピンの固定用基端部の長さと同一寸法にした頭部ブロック付栓（D）
のいずれかであることを特徴とする。
【００１４】
（６）前記（５）項に記載の頭部ブロック付栓（D）の石膏侵入防止用栓においては、支持基台の表面に係止用突部が設けられている支持基台を用いる場合にも適用できるように、当該支持基台の挿入孔に栓を装着した場合に、係止用突部に前記頭部ブロックの下面が接触しないように、少なくとも係止用突部の存在する部分の前記頭部ブロックの下面に切欠き部を設けるか、または、前記頭部ブロックの下面を係止用突部と接触しない高さに保って形成されている頭部ブロックを有する頭部ブロック付栓（D）であることが好ましい。
【００１５】
（７）前記（５）または（６）項のいずれかに記載の石膏侵入防止用栓においては、前記栓が合成樹脂からなる栓であることが好ましい。
【発明の効果】
【００１６】
（１）本発明の前記（１）項に記載のダウエルピン及び当該ダウエルピンが挿入される支持基台においては、ダウエルピンの前記上部本体部は円柱状又はダウエルピン先端方向に向かって若干外径が狭められている円錐台状であり、ダウエルピンが挿入される合成樹脂から形成されている支持基台の挿入孔の形状が、前記ダウエルピンの前記上部本体部に対応する部分においては、前記ダウエルピンの上部本体部が嵌合し得る形状の挿入孔となっているので、ダウエルピンの長手方向に垂直な方向の前記上部本体部の断面形状は丸断面であり、ならびに前記ダウエルピンの上部本体部が嵌合される支持基台の挿入孔の当該部分の形状も丸断面であり、従って、ダウエルピンを支持基台の挿入孔に差し込んでダウエルピンの固定用基端部が埋没する程度に石膏を流し込んで固定用プレートを形成ないしは更にその上に歯型模型を接合しても、石膏が支持基台の挿入孔に流れ込むことがなく、石膏が支持基台の挿入孔に流れ込むことによる前述した問題点を解決できる。しかもダウエルピンの前記下部本体部は、その一部の側面がダウエルピン先端部まで長手方向に伸びる平坦面である変則的な略円錐台形状であり、且つ、前記平坦面の側面を１つ又は２つ有しており、支持基台は、前記ダウエルピンの下部本体部が嵌合される支持基台の挿入孔の当該部分の形状も前記ダウエルピンの前記下部本体部が嵌合し得る形状の挿入孔であるので、ダウエルピンの平坦面が設けられている部分に対応する挿入孔壁面もダウエルピンの前記平坦面の数に応じて１箇所又は２箇所が長手方向に挿入孔下部まで設けられた平坦面を有する形状であるので、切断した歯形模型付固定用プレートを合成樹脂製支持基台の前記挿入孔に挿入したりはずしたりして補綴作業を行う場合において当該歯形模型付固定用プレート切断片を支持基台にはめ込んだ際にダウエルピンとその挿入孔がすべて丸断面の場合に生じやすい、当該切断片が回転するなどの問題を防止できる。しかもダウエルピンは金属製であり、合成樹脂製のダウエルピンを使用した場合のような作業時に歯形模型にやや大きな力が加わると、切断した固定用プレートが支持基台に対してぐらつくおそれも防止でき、安定した作業を行うことができる。更に、前記下部本体部は、ダウエルピン先端部に向けて外径が上部本体部より更に漸減しているので、切断した固定用プレートの支持基台の所定の挿入孔への抜き差しが比較的容易になり好ましい。
【００１７】
（２）本発明の前記（２）項に記載のダウエルピン及び当該ダウエルピンが挿入される支持基台においては、前記ダウエルピンの上部本体部の長さが１．５〜２．５ｍｍであり、支持基台は、前記ダウエルピンが挿入される挿入孔の形状が、前記ダウエルピンの前記上部本体部と下部本体部が嵌合し得る形状の挿入孔であるので、石膏が支持基台の挿入孔に流れ込むことを十分防止でき、また、前記ダウエルピンの上部本体部の長さが長すぎて、切断した歯形模型付の固定用プレートの支持基台の所定の挿入孔への抜き差しがきつ過ぎて操作しにくくなることも防止でき好ましい。
【００１８】
（３）本発明の前記（３）項に記載のダウエルピン及び当該ダウエルピンが挿入される支持基台においては、ダウエルピンの前記上部本体部がダウエルピン先端方向に向かって若干外径が狭められている円錐台状ダウエルピンの場合、外径が狭められる程度が先端方向に向かって角度で０．５〜３度であり、支持基台は、前記ダウエルピンの挿入孔の形状が、前記ダウエルピンの前記上部本体部及び下部本体部が嵌合し得る形状の挿入孔を有する支持基台であるので、ダウエルピンの前記上部本体部において、支持基台の挿入孔を栓で塞ぐようにダウエルピンが挿入されることになるので、石膏が支持基台の挿入孔に流れ込むことをより一層防止でき好ましい。
【００１９】
（４）前記（４）項に記載の歯科技工用作業模型に使用されるダウエルピン及び当該ダウエルピンが挿入される支持基台においては、固定用プレートにおいて、支持基台の対向面に係止用凹部又は突部が設けられている固定用プレートを使用する場合、支持基台が、固定用プレートの係止用凹部又は突部が設けられている位置に対応する位置の支持基台の表面側に、前記固定用プレート対向面に設けられている係止用凹部又は突部に嵌合し得る係止用突部又は凹部が設けられている支持基台である好ましい態様とすることにより、前記ダウエルピン及び当該ダウエルピンが挿入される支持基台の挿入孔の形状の特徴であるそれぞれ側面や側壁面に平坦面が設けられていることによる効果と相俟って、歯科技工用作業模型を用いて補綴作業を行う場合において歯型模型付固定用プレートの切断片を支持基台にはめ込んだ際に当該切断片が回転するなどの問題をより確実に防止でき好ましい。
【００２０】
（５）前記（５）項に記載の石膏侵入防止用栓においては、支持基台のダウエルピン挿入用の挿入孔でダウエルピンが挿入されない挿入孔へ石膏が侵入するのを確実に防止でき好ましい。すなわち本発明のダウエルピンと同様に、ダウエルピンの上部本体部に相当する栓の断面形状は丸断面であり、ならびに前記栓の上部本体部に相当する部分が嵌合される支持基台の挿入孔の当該部分の形状も丸断面であり、従って、前記栓を支持基台の挿入孔に差し込んで石膏を流し込んで固定用プレートを形成ないしは更にその上に歯型模型を接合しても、栓が装着されている支持基台の挿入孔に石膏が流れ込むことを防止できる。その結果、支持基台の挿入孔に石膏が流れ込み石膏が硬化してしまうと支持基台から固定プレートを外しにくくなり、しかも、支持基台の挿入孔に硬化した石膏が残ってしまうので合成樹脂製の支持基台の再使用ができなくなることを防止でき、合成樹脂製の支持基台の再使用を可能とすることができ好ましい。
【００２１】
そして特に頭部ブロック付栓（D）においては、上記効果のほかに、前記栓の上部本体部の上端部に相当する部分から当該頭部ブロックの最上面までの高さをダウエルピンの固定用基端部の長さと同一寸法にしたので、仮に、図５〜７で説明したように注入空間５０に石膏５２を流し込んで、当該石膏がまだ硬化しないうちにその上に歯形模型１０４を載せて歯形模型を接着剤を用いずに固定用プレートに接合する場合に、頭部ブロックのない栓（A）〜（C）のいずれかを用いると歯形模型１０４の下面を支えることができないので、ダウエルピンが使用されない位置によっては、硬化していない石膏の上に載せた歯形模型が傾いてしまうことがあるが、頭部ブロック付栓（D）においては、これを歯形模型の下面を支えるように、歯形模型が傾くのを防止するに必要な位置の栓として使用することにより、前記栓の上部本体部の上端部に相当する部分から頭部ブロックの最上面までの高さが、前記栓の上端部に相当する部分からダウエルピンの固定用基端部の長さと同一寸法にしたので、頭部ブロックの最上面が歯形模型の下面に当接され歯形模型を支えるので、硬化していない石膏の上に載せた歯形模型が傾いてしまうことを防止でき好ましい。
【００２２】
（６）前記（６）項に記載の石膏侵入防止用栓においては、仮に支持基台の表面に係止用突部が設けられている支持基台を用いる場合にも、当該支持基台の挿入孔に栓を装着した場合に、係止用突部に前記頭部ブロックの下面が接触して、頭部ブロックが傾いたりせず、また、当該頭部ブロックの最上面の高さを用いるダウエルピンの固定用基端部の高さと同一にしたので、支持基台の表面の係止用突部の有無にかかわらず頭部ブロックの最上面が所定の高さを保って歯形模型の下面に当接されるため、硬化していない石膏の上に載せた歯形模型が傾いてしまうことを防止でき好ましい。なお、このタイプの石膏侵入防止用栓は、支持基台の表面に係止用突部が設けられていない支持基台を用いる場合にも使用することができる。従って、支持基台の表面に係止用突部が設けられている支持基台を用いる場合ならびに支持基台の表面に係止用突部が設けられていない支持基台を用いる場合のいずれにも共通して用いることができ好ましい。
【００２３】
（７）前記（７）項に記載の石膏侵入防止用栓においては、前記栓が合成樹脂からなる栓である好ましい態様とすることにより、石膏侵入防止用栓はダウエルピンのように強度が要求されないので、コストの高い金属を使用しなくて済み、しかも石膏侵入防止用栓は、使い捨てになるので、合成樹脂製とすることによりコストを低下でき好ましい。
【図面の簡単な説明】
【００２４】
【図１】本発明の第１の実施形態による歯科技工用作業模型全体を示す斜視図。
【図２】図１の歯科技工用作業模型を示す分解斜視図。
【図３】（ａ）は、支持基台の上面を示す図、（ｂ）は、固定用プレートの下面を示す図。
【図４】図１中のＡ−Ａ線による歯科技工用作業模型の断面図。
【図５】支持基台の上部に成型用基枠を装着する前の状態を示す斜視図。
【図６】支持基台の上部に成型用基枠を装着した状態を示す断面図。
【図７】注入空間内に石膏を注入した状態を示す断面図。
【図８】（ａ）は、本発明の第２の実施形態（歯科技工用作業模型全体）による歯科技工用作業模型の支持基台の上面を示す図、（ｂ）は、その固定用プレートの下面を示す図。
【図９】本発明の第３の実施形態（歯科技工用作業模型全体）を示す分解斜視図。
【図１０】（ａ）は、本発明の第３の実施形態による歯科技工用作業模型の支持基台の上面を示す図、（ｂ）は、その固定用プレートの下面を示す図。
【図１１】本発明で使用されるダウエルピンの一つの実施形態例の側面図。
【図１２】（ａ）が図１１のダウエルピンのＡ-Ａ´切断面の端面図、（ｂ）が図１１のダウエルピンの上部本体部１のわずかに下の下部本体部２のＢ-Ｂ´切断面の端面図、（ｃ）が図１１のダウエルピンのＣ-Ｃ´切断面の端面図、（ｄ）が図１１のダウエルピンのＤ-Ｄ´面の端面図。
【図１３】本発明で使用されるダウエルピンの別の一実施形態例の側面図。
【図１４】（ａ）が図１３のダウエルピンのＡ-Ａ´切断面の端面図、（ｂ）が図１３のダウエルピンの下部本体部２のＢ-Ｂ´切断面の端面図、（ｃ）が図１３のダウエルピンのＣ-Ｃ´切断面の端面図、（ｄ）が図１３のダウエルピンのＤ-Ｄ´面の端面図。
【図１５】本発明で使用されるダウエルピンの更に別の一実施形態例の側面図。
【図１６】（ａ）は図１５のダウエルピンの上部本体部１のＡ−Ａ´切断面の端面図、（ｂ）は図１５の上部本体部１よりわずかに下の下部本体部２のＢ−Ｂ´切断面の端面図、（ｃ）は図１５の下部本体部２のＣ−Ｃ´切断面の端面図、（ｄ）は図１５の下部本体部２のＤ−Ｄ´面の端面図。
【図１７】本発明で使用されるダウエルピンの更に別の一実施形態例の側面図。
【図１８】図１７のダウエルピンの上部本体部１のＡ−Ａ´断面図。
【図１９】本発明で使用される石膏侵入を防止するための一実施形態の栓の側面図。
【図２０】本発明で使用される石膏侵入を防止するための別の一実施形態の栓の側面図。
【図２１】本発明で使用される石膏侵入を防止するための更に別の一実施形態の栓の側面図。
【図２２】本発明で使用される石膏侵入を防止するためと歯形模型の傾きを防止するための頭部ブロック付栓の一実施形態の側面図。
【図２３】図２２に示した頭部ブロック付栓の頭部ブロック上部から見た平面図。
【図２４】支持基台の挿入孔の一部にダウエルピンを挿入し、他の挿入孔の一部に頭部ブロックを有しない本発明の栓を装着し、且つ残りの挿入孔に頭部ブロックを有する栓を装着する場合の説明用分解斜視図。
【図２５】頭部ブロックの上部から見た平面の面積を説明するための部分歯科技工用作業模型の支持基台の上面を示す図。
【図２６】頭部ブロックの上部から見た平面の面積を説明するための全顎用歯科技工用作業模型の支持基台の上面を示す図。
【図２７】本発明で使用される石膏侵入を防止するためと歯形模型の傾きを防止するための頭部ブロック付栓の別の一実施形態の側面図。
【図２８】本発明で使用される石膏侵入を防止するためと歯形模型の傾きを防止するための頭部ブロック付栓の更に別の一実施形態の側面図。
【図２９】本発明で使用される石膏侵入を防止するためと歯形模型の傾きを防止するための頭部ブロック付栓の更に別の一実施形態の側面図。
【図３０】図２９の頭部ブロック付栓の頭部ブロック上部から見た平面図。
【図３１】本発明で使用される石膏侵入を防止するためと歯形模型の傾きを防止するための頭部ブロック付栓の更に別の一実施形態の側面図。
【図３２】本発明で使用される石膏侵入を防止するためと歯形模型の傾きを防止するための頭部ブロック付栓の更に別の一実施形態の側面図。
【図３３】本発明で使用される石膏侵入を防止するためと歯形模型の傾きを防止するための頭部ブロック付栓の更に別の一実施形態の側面図。
【図３４】図３３の頭部ブロック付栓の頭部ブロック上部から見た平面図。
【図３５】本発明で使用される石膏侵入を防止するためと歯形模型の傾きを防止するための頭部ブロック付栓の更に別の一実施形態の側面図。
【図３６】本発明で使用される石膏侵入を防止するためと歯形模型の傾きを防止するための頭部ブロック付栓の更に別の一実施形態の側面図。
【発明を実施するための形態】
【００２５】
以下、添付図面を参照して、本発明に従う歯科技工用作業模型及びこれに用いる支持基台の各種実施形態について説明する。
【００２６】
［第１の実施形態（歯科技工用作業模型全体）］
まず、図１〜図７を参照して、第１の実施形態の歯科技工用作業模型及びこれに用いる支持基台とダウエルピンについて、これらの使用形態を理解しやすくするため、一般的な一例を挙げて説明する。なお、本発明においてはダウエルピンの形状と前記ダウエルピンが挿入される挿入孔が設けられた合成樹脂から形成されている支持基台の挿入孔の形状が本発明で規定された特定の形状であるが、これらの形状の具体的実施形態例などは後で別の図面を引用しながら説明する。従って図１〜７での説明においてダウエルピンの形状と前記ダウエルピンが挿入される挿入孔が設けられた合成樹脂から形成されている支持基台の挿入孔の形状については、本発明で規定したダウエルピンの形状と前記ダウエルピンが挿入される挿入孔が設けられた合成樹脂から形成されている支持基台の挿入孔の形状に置き換えて解釈すればよく、図１〜図７での図示はダウエルピンの形状や支持基台の挿入孔の形状については、図が小さいので概略図であり、ダウエルピンや、支持基台がどのように使用されるのか、どのような位置関係にあるのかを理解しやすく説明するための図面であり、ダウエルピンの形状と支持基台の挿入孔の形状については、上述の通り、本発明で規定する形状等を適用して解釈すればよい。
【００２７】
図１は、本発明のダウエルピンと支持基台を用いた第１の実施形態による歯科技工用作業模型全体を示す斜視図であり、図２は、図１の歯科技工用作業模型を示す分解斜視図であり、図３（ａ）は、支持基台の上面を示す図であり、図３（ｂ）は、固定用プレートの下面を示す図であり、図４は、図１中のＡ−Ａ線による歯科技工用作業模型の断面図であり、図５は、支持基台の上部に成型用基枠を装着する前の状態を示す斜視図であり、図６は、支持基台の上部に成型用基枠を装着した状態を示す断面図であり、図７は、注入空間内に石膏を注入した状態を示す断面図である。
【００２８】
図１及び図２を参照して、図示の歯科技工用作業模型１０２は、歯形模型１０４が固定される固定用プレート１０６と、固定用プレート１０６に植設された５本のダウエルピン８と、固定用プレート１０６を支持するための支持基台１０と、を備えている。
【００２９】
支持基台１０は支持基台本体１２を備え、この支持基台本体１２は、例えばポリエチレン樹脂やポリプロピレン樹脂、ポリアミド樹脂、アクリル樹脂、ポリスチレン樹脂、ポリウレタン樹脂、その他の合成樹脂など適宜の合成樹脂から形成されている。なお、必要に応じ、充填剤、増量剤、骨材、その他の添加剤を含有していてもよい。この支持基台本体１２は、横長且つ筒状の周側壁１４と、周側壁１４の上側を覆う横長の上壁１６と、を有している。上壁１６の上面には、その長手方向に間隔を置いて５個のダウエルピンの挿入孔１８が設けられている。周側壁１４の内側に形成された空間２０（図４参照）には、各挿入孔１８に対応して上壁１６の下面から下方に延びる筒状突部２２が設けられており、各挿入孔１８はこの筒状突部２２の内部を貫通して設けられている。なお、各挿入孔１８は、その内壁形状が、用いる本発明のダウエルピン８の形状に応じてダウエルピンが嵌合し得る内壁形状の挿入孔であり、本発明で使用するダウエルピンの上部本体部と下部本体部が嵌合し得る形状、すなわち、ダウエルピンの上部本体部と下部本体部を象った内壁形状の挿入孔であり、後述するダウエルピンの下部本体部２（図１１から図１７参照）に沿うように筒状突部２２のダウエルピンの下部本体部２が当接する上端部から下端部に向けて内径が漸減するテーパ状に形成されている。筒状突部２２の長さは、ダウエルピンの先端が筒状突部２２の先端から少しはみ出るものが、ダウエルピンの下端を上に指で押して、歯形模型４が固定される固定用プレート106などを、支持基台１０から外す場合などに便利であるが、特にこれに限定されるものではなく、ダウエルピンの先端が筒状突部２２の先端と一致する長さのものや、ダウエルピンの先端を筒状突部２２の先端が超える長さであってもよい。ただ通常、ダウエルピンや筒状突部２２の先端が支持基台本体１２の周側壁１４の下端よりはみ出てしまわないようにするのが望ましい。本発明においては、ダウエルピンの下部本体部が変則的な略円錐台形状と表現されているが、円錐台形状という表現は、正確な円錐台は先端部は平面になるが、本発明ではダウエルピンの先端部が例えば山状に丸まっていたり、とがっていても本発明のダウエルピンと支持基台の組み合わせに特に支障がない限り変則的な略円錐台形状との表現に含まれる意味である。
【００３０】
また、この実施形態例では、上壁１６の上面における一側縁には係止用突部の一種である特許文献１の図２、図３の符号２４で示されるような側面に凹部や突部を有する係止用突部２４が設けられ、その他側縁には別の形態の係止用突部の一種である係止用突条２５が設けられている。係止用突部２４及び係止用突条２５はそれぞれ、上方に突出するとともに上壁１６の長手方向に延びている。係止用突部２４及び係止用突条２５の上壁１６からの突出高さＨ（図４参照）は、この例では約１．５ｍｍに設定されている。
【００３１】
係止用突部２４は、特許文献１の図３、図４に示されており詳細に説明されているので、ここでは詳細説明を省略する。
【００３２】
また、上壁１６の上面における他側縁よりも内側に離れた部位（具体的には、上壁１６の上面における他側縁と挿入孔１８との間の部位）には、更に別の形態の係止用突部の一種である複数の係止用小突部３３が設けられている。複数の係止用小突部３３は、係止用突条２５に対して略平行に且つ間隔を置いて配置されている。係止用小突部３３の突出高さは、係止用突部２４の突出高さＨと同程度又はこれよりも幾分低く構成されている。なお、本実施形態では、係止用小突部３３は平面視で長方形状（立体的にはほぼ直方体形状）に構成されており、その長さは例えば約３ｍｍに構成されている。また、係止用小突部３３の配置間隔（例えば約４ｍｍ）は、挿入孔１８の配置間隔（例えば約９ｍｍ）よりも短く構成されており、これにより隣接する一対の挿入孔１８の間に対応して、例えば１〜４個（好ましくは２〜３個）の係止用小突部３３が配設されるようになる。係止用小突部３３の上壁１６からの突出高さは、この例では約１．５ｍｍに設定されている。
【００３３】
また、周側壁１４の外周面には、挿入孔１８に対応して（換言すると、固定用プレート10６のダウエルピン８に対応して）位置識別用突部３４が設けられている。この位置識別用突部３４は、挿入孔１８を挟んでそれらの両側にそれぞれ配設されている。
【００３４】
固定用プレート１０６は石膏から形成され、支持基台本体１２の上壁１６の形状に対応した横長の形状を有している。この固定用プレート１０６には、支持基台本体１２の各挿入孔１８に対応して５本のダウエルピン８が植設されている。また、固定用プレート１０６に植設されるダウエルピン８の固定用プレートに固定される固定用基端部４には、固定用プレート１０６に対する固定強度を高めるためにローレット加工が施されている。尚、ダウエルピンは金属製のものであることが必要であり、真鍮やステンレスなどが好適に用いられ、プラスチックス製のダウエルピンの場合には、作業時に歯形模型にやや大きな力が加わると、切断した歯形模型付固定用プレートが支持基台に対してぐらつくおそれがあり、安定した作業を行うことができない。
【００３５】
また、固定用プレートに、石膏を採用するのは、図１で説明したように、例えば、歯形模型１０４とともに切断線54で切断されたり、図１０（ｂ）の符号74（切断線）などで切断する場合に切断しやすくするためであり、支持基台を合成樹脂で形成するのは、前記固定用プレートを歯形模型４とともに切断した場合に、支持基台まで簡単に切断されてしまうことを防止するためと、大量生産を可能にし、強度を持たせ、且つ、再使用可能にするためである。これ等の事項は他の実施の形態例においても同様である。
【００３６】
また、固定用プレート１０６の下面（即ち、ダウエルピン８が突出する側の面）における一側縁には、支持基台本体１２の係止用突部２４に対応してそれに嵌合し得る係止用凹部３６が設けられ、またその他側縁には、支持基台本体１２の係止用突部の一種である係止用突条２５に対応してそれに嵌合し得る係止用凹部の一種である係止用凹条３７が設けられている。係止用凹部３６及び係止用凹条３７はそれぞれ、固定用プレート１０６の内方に凹となるとともに固定用プレート１０６の長手方向に延びている。係止用凹部３６は、特許文献１の図４に示されており詳細に説明されているので、ここでは詳細説明を省略する。
【００３７】
また、固定用プレート１０６の下面における他側縁よりも内側に離れた部位（具体的には、固定用プレート１０６の下面における他側縁とダウエルピン８との間の部位）には、係止用凹部の一種である複数の係止用小凹部４５が設けられている。複数の係止用小凹部４５は、係止用突部の一種である複数の係止用小突部３３に対応してこれと嵌合可能なように、係止用凹部３６に対して略平行に且つ間隔を置いて配置されている。なお、本実施形態では、係止用小凹部４５は平面視で長方形状（立体的にはほぼ直方体形状）に構成されており、その長さは例えば約３ｍｍに構成されている。また、係止用小凹部４５の配置間隔（例えば約４ｍｍ）は、ダウエルピン８の配置間隔（例えば約９ｍｍ）よりも短く構成されており、これにより隣接する一対のダウエルピン８の間に対応して、例えば１〜４個（好ましくは２〜３個）の係止用小凹部４５が配設されるようになる。
【００３８】
固定用プレート１０６の上面には、石膏から形成された歯形模型１０４（本実施形態では、部分タイプのもの）が固定されている。この固定用プレート１０６は、ダウエルピン８を対応する挿入孔１８に着脱自在に挿入することにより、支持基台本体１２の上壁１６の上面に着脱自在に支持される。この支持状態では、ダウエルピン８の先端部は筒状突部２２の下端部から下方に幾分突出される（図４参照）。また、係止用突部２４はそれぞれ、係止用凹部３６と相互に着脱自在に嵌合される。更に、係止用突条２５と係止用凹条３７とが相互に着脱自在に嵌合されるとともに、複数の係止用小突部３３と複数の係止用小凹部４５とが相互に着脱自在に嵌合される。
【００３９】
次に、図５〜図７を参照して、上述した歯科技工用作業模型１０２の製造方法について説明する。まず、患者の歯から象った陰型の歯型（図示せず）に石膏を流し込んで歯形模型１０４を製作し、また、合成樹脂による射出成型によって支持基台本体１２を製造する。そして、図５に示すように、支持基台本体１２の各挿入孔１８にダウエルピン８を先端部側から着脱自在に挿入する（ピン挿入工程）。このように挿入すると、ダウエルピン８の固定用基端部４は、支持基台本体１２の上壁１６から上方に所定長さ（例えば約４ｍｍ）だけ突出される（図６参照）。
【００４０】
その後、図６及び図７に示すように、支持基台本体１２の上部に成型用基枠４６を着脱自在に装着する（枠装着工程）。ここで、枠装着工程で用いる成型用基枠４６について説明すると、成型用基枠４６は全体として略矩形状の外形を有し、例えばシリコンゴムや合成ゴムなどのゴム材料から形成されている。成型用基枠４６の内側には上下に貫通する開口４８が設けられ、この開口４８は、支持基台本体１２の上部の形状に対応した形状を有している。
【００４１】
成型用基枠４６を支持基台本体１２の上部に装着すると、支持基台本体１２の上壁１６及び周側壁１４の上端部が開口４８の下端部に挿入され、成型用基枠４６の内周面が周側壁１４の外周面に密着するようになる。このとき、成型用基枠４６の下端部が支持基台本体１２の位置識別用突部３４に支持されることにより、成型用基枠４６が支持基台本体１２に対して位置決めされる。この装着状態では、成型用基枠４６は、支持基台本体１２の上壁１６から上方に所定高さ（例えば約８ｍｍ）だけ突出されるようになり、支持基台本体１２の上面及び成型用基枠４６の内周面によって注入空間５０が規定される。
【００４２】
その後に、図７に示すように、固定用プレート１０６を成型するための石膏５２を注入空間５０に注入する（プレート成型工程）。この石膏５２は、ダウエルピン８の固定用基端部４が石膏５２に完全に浸漬されるまで注入される。この場合、前述したようにダウエルピンの長手方向に垂直な方向の前記上部本体部の断面形状は丸断面であり、ならびに前記ダウエルピンの上部本体部が嵌合される支持基台の挿入孔１８の当該部分の形状もダウエルピン８の前記上部本体部が嵌合し得る丸断面であり、従って、ダウエルピンを支持基台の挿入孔に差し込んでダウエルピンの固定用基端部４が埋没する程度に石膏を流し込んで固定用プレートを形成しても、石膏が支持基台の挿入孔に流れ込むことがなく、石膏が支持基台の挿入孔に流れ込むことによる問題点を解決できる。
【００４３】
そして、注入空間５０内の石膏５２が硬化することにより、ダウエルピン８が植設され且つ係止用凹部３６、係止用凹条３７及び複数の係止用小凹部４５が形成された固定用プレート１０６が成型される（図３（ｂ）参照）。その後、成型用基枠４６を支持基台本体１２の上部から取り外し、固定用プレート１０６の上面に例えば研削加工を施して平坦となるように加工する（加工工程）。この加工は、固定用プレート１０６を支持基台本体１２の上面に支持させた状態で行われ、通常、ダウエルピン８の固定用基端部の上面が外部に露出するまで行う。
【００４４】
その後、研削加工を施した固定用プレート１０６の上面に歯形模型１０４を接着剤等を用いて固定する（模型固定工程）。尚、固定用プレート１０６が固化する前の状態でその上面に歯形模型１０４を載せて、接着剤を使用せずに固定用プレート１０６の上面に歯形模型１０４を接合してもよい。更にその後、歯形模型１０４が形成された固定用プレート１０６を支持基台本体１２の上面に支持させた状態で、図１中の一点鎖線で示す切断線５４に沿って歯形模型１０４の所定部位（即ち、隣接する一対のダウエルピン８の間の部位）を固定用プレート１０６とともに切断工具（図示せず）を用いて切断する（切断工程）。このように切断することによって、歯形模型１０４の切断した部位を固定用プレート１０６及びダウエルピン８とともに残りの部位から取り出すことができる。なお、上述したように、支持基台本体１２には挿入孔１８に対応して位置識別用突部３４が設けられているので、歯形模型１０４と共に固定用プレート１０６を切断する際に、この位置識別用突部３４に基づいてダウエルピン８の配設箇所を容易に確認することができる。
【００４５】
この切断した歯形模型１０４付固定用プレート１０６を用いた所要の作業（例えば、歯冠補綴物の製作等）は、切断した歯形模型１０４付固定用プレート１０６を支持基台本体１２の上面に支持させた状態で行われる。このとき本発明のダウエルピンは、その下部本体部の長手方向側面が平坦面である側面を１つ又は２つ有し、且つ当該ダウエルピンが挿入される挿入孔もダウエルピンが嵌合し得る形状の挿入孔に形成されているので、ダウエルピンの下部本体部の側面の平坦面に対応する挿入孔内壁も平坦面となっており、切断した歯形模型１０４付固定用プレート１０６の支持基台本体１２に対する回転やぐらつき等を十分に防止することができる。
【００４６】
更に、本実施形態の歯科技工用作業模型１０２では、上述のように係止用突部２４の突状部及び凹状部と係止用凹部３６の凹状部及び突状部とがそれぞれ相互に嵌合されるとともに、係止用突条２５と係止用凹条３７とが相互に嵌合され、更に複数の係止用小突部３３と複数の係止用小凹部４５とが相互に嵌合されるので、固定用プレート１０６と支持基台本体１２との水平方向の嵌合強度をより一層高めることができ、切断した固定用プレート１０６の支持基台本体１２に対する回転やぐらつき等を極めて完全に防止することができる。
【００４７】
上記、実施の形態例では、本発明の金属製の特定形状のダウエルピンとそれに嵌合し得る挿入孔を有する支持基台を使用したので、必ずしも、支持基台上壁に係止用突部や凹部、ならびにそれに対応する位置の固定用プレート下面にこれらと嵌合し得る係止用凹部や突部を設けなくてもよく、これら係止用突部や凹部は、存在するほうがより好ましいが、上記、実施の形態例のごとく、支持基台上壁に係止用突部の一種である係止用突部２４、別の係止用突部の一種である係止用突条２５、更に別の形態の係止用突部の一種である複数の係止用小突部３３とこれらに対応する位置の固定用プレート下面にこれらと嵌合し得る係止用凹部や突部を設けた例を示したが、このように３種類の合計３列の係止用突部と係止用凹部を用いる必要はなく、好ましくは、どれか１種類１列の係止用突部と係止用凹部を設けることで切断した歯形模型１０４付固定用プレート１０６の支持基台本体１２に対する回転やぐらつき等を十分に防止できる。このことは以下の実施形態例においても同様である。
【００４８】
尚、切断された歯形模型の回転防止作用という点では、支持基台本体上に上述したいずれか１種類の係止用突部１列と、これに対応して、固定用プレートの下面において、一列の係止用凹部を設ければ十分であるが、一列の係止用突部と一列の係止用凹部を設けただけの場合には、ダウエルピンが形成されている歯形模型付固定用プレートをそのダウエルピンを支持基台の挿入孔に差し込んだ場合、しばしば、歯科技工士が作業中に、支持基台を上側にし、歯形模型が形成されている固定用プレートを下側にして、支持基台を指で持ってしまうことがしばしば生じるが、このような場合に、支持基台から、ダウエルピン付の歯形模型付固定用プレートが外れて落下し、石膏で作成されている歯形模型を破損する恐れがあるが、上述のように支持基台に２列以上の係止用突部と、これに対応して、固定用プレート下面に２列以上の係止用凹部を設けることにより、支持基台を上側にし、歯形模型が形成されている固定用プレートを下側にして、支持基台を指で持った場合も、支持基台から、ダウエルピン付の歯形模型付固定用プレートが外れて落下し、歯形模型を破損する恐れを防止でき好ましい。
【００４９】
また、上記で説明したこれら係止用凹部や突部の形状は、上記実施の形態例で示したものに限られず、特開２００９−１００８８０号公報、特開２０００−２４５７４９号公報、特開２００４−２８３２５９号公報、特開２００４−３０４５２８号公報、その他、歯科技工用作業模型で提案されている各種の係止用突部と係止用凹部を用いることができる。このことは以下の実施形態例においても同様である。中でも係止用突部や係止用凹部を設ける場合には、上述したような複数の係止用小突部や係止用小凹部の組み合わせが特に好適である。
【００５０】
［第２の実施形態（歯科技工用作業模型全体）］
実施の形態例２として、１種類１列の係止用突部（この場合、複数の係止用小突部３３を１列）を支持基台上壁１６に設け、それに対応する位置の固定用プレート下面にこれらと嵌合し得る１列の係止用凹部（この場合、複数の係止用小凹部４５を１列）とを設けた具体例を、図８（ａ）、（ｂ）に示した。図８（ａ）は、本発明の第２の実施形態（歯科技工用作業模型全体）による歯科技工用作業模型の支持基台の上面を示す図、図８（ｂ）は、その固定用プレートの下面を示す図である。  なお、本発明においてはダウエルピンの形状と前記ダウエルピンが挿入される挿入孔が設けられた合成樹脂から形成されている支持基台の挿入孔の形状が本発明で規定する特定の形状であるが、これらの形状は、上述の通り、本発明で規定する形状等を適用して（例えば後述するダウエルピンの形状と支持基台の挿入孔の形状に関しての実施形態例などを参照して）、解釈すればよい。従って図８での説明においてダウエルピン８の形状と前記ダウエルピンが挿入される挿入孔が設けられた合成樹脂から形成されている支持基台の挿入孔１８の形状については、本発明で規定したダウエルピンの形状と前記ダウエルピンが挿入される挿入孔が設けられた合成樹脂から形成されている支持基台の挿入孔の形状に置き換えて解釈すればよく、図８での図示はダウエルピンの形状や支持基台の挿入孔の形状については、図が小さいので概略図であり、ダウエルピンや、支持基台がどのように使用されるのか、どのような位置関係にあるのかを理解しやすく説明するための図面であり、ダウエルピンの形状と支持基台の挿入孔の形状については、上述の通り、本発明で規定する形状等を適用すればよい。そして支持基台本体１２の上壁１６の上面における一側縁よりも内側に離れた部位に複数の係止用小突部３３が設けられている。これら複数の係止用小突部３３はそれぞれ、複数の挿入孔１８の配設方向に対して略平行に且つ間隔を置いて配置されている。また、複数の係止用小突部３３の配置間隔Ｄ１’（例えば約４ｍｍ）は、複数の挿入孔１８の配置間隔Ｄ２’（例えば約１０ｍｍ）よりも短く構成されており、これにより隣接する一対の挿入孔１８の間に対応して、例えば１〜４個（好ましくは２〜３個）の係止用小突部33が配設されるようになる。係止用小突部３３の上壁１６からの突出高さは、この例では約１．５ｍｍに設定されている。なお、支持基台１０の上面における両側縁には、実施の形態例１で示した係止用突部２４や係止用突条２５は設けられておらず、支持基台１０の他の構成については、上記第１の実施形態と同様である。
【００５１】
また、固定用プレート１０６の下面において、複数のダウエルピン８の列の片側には上方に延びる複数の係止用凹部の一種である複数の係止用小凹部４５が１列設けられている。これら複数の係止用凹部である係止用小凹部４５は、複数のダウエルピン８の配設方向に対して略平行に且つ間隔を置いて配置されている。また、複数の係止用小凹部４５の配置間隔Ｄ３’（例えば約４ｍｍ）は、複数のダウエルピン８の配置間隔Ｄ４’（例えば約１０ｍｍ）よりも短く構成されており、これにより隣接する一対のダウエルピン８の間に対応して、例えば１〜４個（好ましくは２〜３個）の係止用小凹部４５が配設されるようになる。なお、固定用プレート１０６の下面における両側縁には、第１の実施形態例に示した上述した係止用凹部３６や係止用凹条３７は設けられておらず、固定用プレート１０６の他の構成については、上記第１の実施形態と同様である。
【００５２】
係止用小突部３３と係止用小凹部４５は、固定用プレート１０６を支持基台本体１２の上面に支持させると、複数の係止用小突部３３と複数の係止用小凹部４５とが相互に嵌合されるような位置に設置されている。
【００５３】
そしてダウエルピンの形状と支持基台の挿入孔の形状については、上述の通り、本発明で規定する形状等を適用して（例えば後述するダウエルピンの形状と支持基台の挿入孔の形状に関しての実施形態例などを参照して）、解釈すればよい。
【００５４】
従って前実施の形態例で説明したように、ダウエルピンの前記上部本体部は円柱状又はダウエルピン先端方向に向かって若干外径が狭められている円錐台状であり、ダウエルピンが挿入される合成樹脂から形成されている支持基台の挿入孔の形状が、前記ダウエルピンの前記上部本体部に対応する部分においては、前記ダウエルピンの上部本体部が嵌合し得る形状の挿入孔となっているので、ダウエルピンの長手方向に垂直な方向の前記上部本体部の断面形状は丸断面であり、ならびに前記ダウエルピンの上部本体部が嵌合される支持基台の挿入孔の当該部分の形状も丸断面であり、従って、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことによる前述した問題点を解決できる。更に、切断した歯形模型を用いた所要の作業（例えば、歯冠補綴物の製作等）は、切断した固定用プレート１０６を支持基台本体１２の上面に支持させた状態で行われるが、このときダウエルピンには、その下部本体部の長手方向の側面のうちの一部の側面が平坦面となっており、かかる平坦面の側面を１つ又は２つ有し、且つ当該ダウエルピンが挿入される挿入孔もダウエルピンが嵌合し得る形状の挿入孔に形成されているので、ダウエルピンの下部本体部の側面の平坦面に対応する孔内壁も平坦面となっており、切断した固定用プレート１０６の支持基台本体１２に対する回転やぐらつき等を十分に防止することができる。しかも、１列の係止用突部（この場合、複数の係止用小突部３３）を支持基台上壁１６に設け、それに対応する位置の固定用プレート下面にこれらと嵌合し得る１列の係止用凹部（この場合、複数の係止用小凹部４５）が嵌合しているので、ダウエルピンの形状とそれと嵌合し得る形状の挿入孔との作用と相俟って切断された歯形模型の回転防止作用をより一層強固にすることができる。
【００５５】
なお、特に図示していないが、上記図８で説明した実施形態と類似の実施形態として、日本特許第５８５６６６４号の図２０に示されるように、支持基台本体１２Ｋの上壁１６Ｋの上面における両側縁よりも内側に離れた部位に複数の係止用小突部が８８Ｋ，８６Ｋとして２列設けられている態様とし、また、かかる２列の複数の係止用小突部に対応して、固定用プレート６Ｋの下面において、複数のダウエルピン８の列の両側には上方に延びる複数の係止用凹部の一種である複数の係止用小凹部が９０Ｋ、９２Ｋとして２列設けられている態様としてもよい。そして、係止用小突部８８Ｋ，８６Ｋと係止用小凹部８８Ｋ，８６Ｋは、固定用プレート６Ｋを支持基台本体１２Ｋの上面に支持させると、複数の係止用小突部８８Ｋ，８６Ｋと複数の係止用小凹部９０Ｋ、９２Ｋとが相互に嵌合されるような位置に設置されている態様である。
【００５６】
そしてダウエルピンの形状と支持基台の挿入孔の形状については、上述の通り、本発明で規定する形状等を適用して（例えば後述するダウエルピンの形状と支持基台の挿入孔の形状に関しての実施形態例などを参照して）、解釈すればよい。
【００５７】
切断された歯形模型の回転防止作用という点では、上記図８で説明した支持基台本体上に１列の複数の係止用小突部と、これに対応して、固定用プレートの下面において、一列の複数の係止用小凹部を設ければ十分であるが、一列の複数の係止用小突部と一列の複数の係止用小凹部を設けただけの場合には、ダウエルピンが形成されている歯形模型付固定用プレートをそのダウエルピンを支持基台の挿入孔に差し込んだ場合、しばしば、歯科技工士が作業中に、支持基台を上側にし、歯形模型が形成されている固定用プレートを下側にして、支持基台を指で持ってしまうことがしばしば生じるが、このような場合に、支持基台から、ダウエルピン付の歯形模型付固定用プレートが外れて落下し、石膏で作成されている歯形模型を破損する恐れがあるが、上述のように支持基台に２列の複数の係止用小突部と、これに対応して、固定用プレート下面に２列の複数の係止用小凹部を設けることにより、支持基台を上側にし、歯形模型が形成されている固定用プレートを下側にして、支持基台を指で持った場合も、支持基台から、ダウエルピン付の歯形模型付固定用プレートが外れて落下し、歯形模型を破損する恐れを防止でき好ましい。特に、図１や図１０で説明した切断した歯形模型や、特許文献２の図７の切断した歯形模型20など、小片に切断した歯形模型を扱う場合には、固定用プレートを下側にして、支持基台を指で持った場合も、支持基台から、ダウエルピン付の歯形模型付固定用プレートが外れて落下しやすいので、これを防止するのに、上述のように支持基台に２列の複数の係止用小突部と、これに対応して、固定用プレート下面に２列の複数の係止用小凹部を設けることが好ましい。この点は、次の第３の実施形態も含めて、他の実施形態においても同様である。
【００５８】
［第３の実施形態（歯科技工用作業模型全体）］
次に本発明のダウエルピンと支持基台を用いた第３の実施形態による歯科技工用作業模型を図９、図１０に示す。歯科技工用作業模型全体の第１及び第２の実施形態が部分タイプの歯科技工用作業模型であるのに対し、この実施形態例は全顎タイプの歯科技工用作業模型の実施形態例である。
【００５９】
なお、本発明においてはダウエルピンの形状と前記ダウエルピンが挿入される挿入孔が設けられた合成樹脂から形成されている支持基台の挿入孔の形状が本発明で規定する特定の形状であるが、これらの形状は、上述の通り、本発明で規定する形状等を適用して（例えば後述するダウエルピンの形状と支持基台の挿入孔の形状に関しての実施形態例などを参照して）、解釈すればよい。従って図９、図１０での説明においてダウエルピンの形状と前記ダウエルピンが挿入される挿入孔が設けられた合成樹脂から形成されている支持基台の挿入孔の形状については、本発明で規定したダウエルピンの形状と前記ダウエルピンが挿入される挿入孔が設けられた合成樹脂から形成されている支持基台の挿入孔の形状に置き換えて解釈すればよく、図９〜図１０での図示はダウエルピンの形状や支持基台の挿入孔の形状については、図が小さいので概略図であり、ダウエルピンや、支持基台がどのように使用されるのか、どのような位置関係にあるのかを理解しやすく説明するための図面であり、ダウエルピンの形状と支持基台の挿入孔の形状については、上述の通り、本発明で規定する形状等を適用すればよい。
【００６０】
図９は、本発明のダウエルピンの形状と支持基台を用いた歯科技工用作業模型全体を示す分解斜視図であり、図１０（ａ）は、図９の支持基台の上面を示す図であり、図１０（ｂ）は、その固定用プレートの下面を示す図である。
【００６１】
本実施形態の歯科技工用作業模型１０２Ｃでは、歯形模型１０４Ｃは上歯全体（又は下歯全体）のもの、即ち、全顎タイプのものから構成されている。これに関連して、固定用プレート１０６Ｃは弧状に延びて構成されており、ダウエルピン８は挿入孔１８に対応して固定用プレート１０６Ｃに間隔を置いて１４本植設されている。また、支持基台本体１２Ｃの上壁１６Ｃは、固定用プレート１０６Ｃに対応して弧状に延びており、この上壁１６Ｃの内側には略半楕円状の支持用凹部７０が設けられている。支持基台本体１２Ｃの周側壁の外周面には、挿入孔１８に対応して位置識別用突部３４が設けられている。
【００６２】
図１０（ａ）に示すように、支持基台の上壁１６Ｃの上面には１４個の挿入孔１８が間隔を置いて設けられるとともに、その外周縁よりも内側に離れた部位（具体的には、上壁１６Ｃの上面における外周縁と挿入孔１８との間の部位）には、係止用突部の一種である複数の係止用小突部３３Ｃが一列設けられている。複数の係止用小突部３３Ｃは、支持基台本体１２Ｃの外周縁に対して略平行に且つ間隔を置いて配置されている。
【００６３】
また、図１０（ｂ）に示すように、固定用プレート１０６Ｃの下面における外周縁よりも内側に離れた部位（具体的には、固定用プレート１０６Ｃの下面における外周縁とダウエルピン８との間の部位）には、複数の係止用小突部３３Ｃに対応して、係止用凹部の１種である複数の係止用小凹部４５Ｃが一列設けられている。複数の係止用小凹部４５Ｃは、固定用プレート１０６Ｃの外周縁に対して略平行に且つ間隔を置いて配置されている。複数の係止用小突部３３Ｃの配置間隔Ｄ１（例えば約４ｍｍ）は、複数の挿入孔１８の配置間隔Ｄ２（例えば約１０ｍｍ）よりも短く構成されており、これにより隣接する一対の挿入孔１８の間に対応して、例えば１〜４個（好ましくは２〜３個）の係止用小突部３３Ｃが配設されるようになる。係止用小突部３３Ｃの上壁１６Cからの突出高さは、この例では約１．５ｍｍに設定されている。また、複数の係止用小凹部４５Ｃの配置間隔Ｄ３（例えば約４ｍｍ）は、複数のダウエルピン８の配置間隔Ｄ４（例えば約１０ｍｍ）よりも短く構成されており、これにより隣接する一対のダウエルピン８の間に対応して、例えば１〜４個（好ましくは２〜３個）の係止用小凹部４５が配設されるようになる。
【００６４】
ダウエルピン８の形状と支持基台の挿入孔１８の形状は、前述したように本発明のいずれかの形態のものが採用される。
【００６５】
本実施形態の歯科技工用作業模型１０２Ｃにおいても、上述したのと同様の作用効果が達成される。すなわち、歯形模型１０４Ｃが接合された固定用プレート１０６Ｃを支持基台本体１２Ｃの上面に支持させると、ダウエルピン８の上部本体部が丸断面で下部本体部側面に平坦面を有するダウエルピン８がそれと嵌合し得る支持基台の挿入孔に差し込まれ、複数の係止用小突部３３Ｃと複数の係止用小凹部４５Ｃとが相互に嵌合され、これにより次のような作用効果が達成される。切断工程において、図１０（ｂ）中の一点鎖線で示す切断線７４に沿って固定用プレート１０６Ｃを切断すると、略扇形状のプレート部７６が形成される。プレート部７６の上面には図９で示した歯形模型１０４Cの一部のものが接合されている。この略扇形状のプレート部７６の外周縁側とダウエルピン８との間においては、２つの係止用小突部３３Ｃと２つの係止用小凹部４５Ｃとが相互に嵌合されるとともに、ダウエルピン８の下部本体部側面の平坦面とダウエルピン８と嵌合し得る支持基台の挿入孔側面の平坦面とにより歯形模型付の略扇状プレート部７６と支持基台本体１２Ｃとの水平方向の嵌合強度を高く保つことができ、歯形模型付の略扇状プレート部７６を支持基台に装着して、当該部分の歯形模型を加工する所定の作業（例えば、歯冠補綴物の作成のための作業等）において、歯形模型付の略扇状プレート部の回転などのぐらつきを十分防止できる。
【００６６】
また、ダウエルピンの前記上部本体部は円柱状又はダウエルピン先端方向に向かって若干外径が狭められている円錐台状であり、ダウエルピンが挿入される合成樹脂から形成されている支持基台の挿入孔の形状が、前記ダウエルピンの前記上部本体部に対応する部分においては、前記ダウエルピンの上部本体部が嵌合し得る形状の挿入孔となっているので、ダウエルピンの長手方向に垂直な方向の前記上部本体部の断面形状は丸断面であり、ならびに前記ダウエルピンの上部本体部が嵌合される支持基台の挿入孔の当該部分の形状も丸断面であり、従って、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことによる前述した問題点を解決できる。
【００６７】
なお、上記で採用した係止用凹部や突部の形状は、上記実施の形態例で示したものに限られず、歯科技工用作業模型全体の第１の実施形態例で説明したような、係止用突部２４、係止用突条２５、それに嵌合し得る係止用凹部３６、係止用凹条３７などや、特開２００９−１００８８０号公報、特開２０００−２４５７４９号公報、特開２００４−２８３２５９号公報、特開２００４−３０４５２８号公報、その他、歯科技工用作業模型で提案されている各種の係止用突部と係止用凹部を用いることができる。
【００６８】
また、係止用凹部や突部が存在しない固定用プレートと支持基台を用い、本発明の規定の形状のダウエルピンと支持基台の挿入孔との組み合わせの歯科技工用作業模型での支持も可能である。
【００６９】
なお、特に図示していないが、上記図９、図１０で説明した実施形態と類似の実施形態として、日本特許第５８５６６６４号の図１９に示されるように、支持基台本体１２Ｊの上壁１６Ｊの上面における両側縁よりも内側に離れた部位に複数の係止用小突部が８６，８８として２列設けられている態様とし、また、かかる２列の複数の係止用小突部に対応して、固定用プレート６Ｊの下面において、複数のダウエルピン８の列の両側には上方に延びる複数の係止用凹部の一種である複数の係止用小凹部が９０、９２として２列設けられている態様としてもよい。そして、係止用小突部８６，８８と係止用小凹部９０，９２は、固定用プレート６Ｊを支持基台本体１２Ｊの上面に支持させると、複数の係止用小突部８６，８８と複数の係止用小凹部９０、９２とが相互に嵌合されるような位置に設置されている態様である。
【００７０】
そしてダウエルピンの形状と支持基台の挿入孔の形状については、上述の通り、本発明で規定する形状等を適用して（例えば後述するダウエルピンの形状と支持基台の挿入孔の形状に関しての実施形態例などを参照して）、解釈すればよい。
【００７１】
切断された歯形模型の回転防止作用という点では、上記本願の図９、図１０で説明した支持基台本体上に１列の複数の係止用小突部と、これに対応して、固定用プレートの下面において、一列の複数の係止用小凹部を設ければ十分であるが、一列の複数の係止用小突部と一列の複数の係止用小凹部を設けただけの場合には、ダウエルピンが形成されている歯形模型付固定用プレートをそのダウエルピンを支持基台の挿入孔に差し込んだ場合、しばしば、歯科技工士が作業中に、支持基台を上側にし、歯形模型が形成されている固定用プレートを下側にして、支持基台を指で持ってしまうことがしばしば生じるが、このような場合に、支持基台から、ダウエルピン付の歯形模型付固定用プレートが外れて落下し、石膏で作成されている歯形模型を破損する恐れがあるが、上述のように支持基台に２列の複数の係止用小突部と、これに対応して、固定用プレート下面に２列の複数の係止用小凹部を設けることにより、支持基台を上側にし、歯形模型が形成されている固定用プレートを下側にして、支持基台を指で持った場合も、支持基台から、ダウエルピン付の歯形模型付固定用プレートが外れて落下し、歯形模型を破損する恐れを防止でき好ましい。特に、図１や図１０で説明した切断した歯形模型や、特許文献２の図７の切断した歯形模型20など、小片に切断した歯形模型を扱う場合には、固定用プレートを下側にして、支持基台を指で持った場合も、支持基台から、ダウエルピン付の歯形模型付固定用プレートが外れて落下しやすいので、これを防止するのに、上述のように支持基台に２列の複数の係止用小突部と、これに対応して、固定用プレート下面に２列の複数の係止用小凹部を設けることが好ましい。
【００７２】
次に、これら本発明に用いるダウエルピンと当該ダウエルピンが挿入される支持基台に設けられる挿入孔の実施の形態例を説明する。
【００７３】
ダウエルピンの素材は、真鍮、ステンレスなど金属製であることが必要であり、ダウエルピンの長さは特に限定するものではなく、支持基台１０の高さに応じて適宜決めればよいが、通常一般的には固定用プレートに固定される固定用基端部と、固定用基端部の下に形成されている本体部の合計で18ｍｍ〜２５mmのものが用いられ、このうち本体部（上部本体部＋下部本体部）は、１３ｍｍ〜２０ｍｍ程度のものが一般的である。ダウエルピンの上部本体部の長さは１．５〜２．５ｍｍ程度が好ましい。
【００７４】
本体部が丸断面（長手方向に対し垂直方向の断面）の通常のダウエルピンは、固定用基端部を除いて、ダウエルピン先端部に向けて外径が漸減していて先端部までその断面形状は丸断面のものが一般的であるが、本発明においては、上部本体部は丸断面であるが、下部本体部はその側面を長手方向に先端部まで平らに削ったように平坦面部分を有する。このような平坦な側面を下部本体部の側面として１つまたは２つ有する。平坦な側面は、側面として１つまたは２つあれば回転を防ぐのに十分であり、あまり多くすると、加工が面倒になるし、コストも高くなる。本発明で「ダウエルピンの前記下部本体部は、・・・・・・その一部の側面がダウエルピン先端部まで長手方向に伸びる平坦面である変則的な略円錐台形状であり、且つ、前記平坦面の側面を１つ又は２つ有しており」の意味は、下部本体部はその側面を長手方向に先端部まで平らに削ったように平坦面部分を有しており、このような平坦な側面を下部本体部の側面として１つまたは２つ有する。この「平坦面の側面を１つ又は２つ有しており」のうち、特に２つの意味は、下部本体部に平坦面を長手方向途中まで設け（これを仮に上部平坦面とする）、一旦、当該平坦面が途切れて、そのあと間隔を置いて上部平坦面と同じ平面で更に２つ目の平坦面（これを仮に下部平坦面とする）を設ける場合のように、上部平坦面を延長したと仮定した場合に、途切れた部分が存在しなければ１つの平坦面となるような場合を含まない意味である。「平坦面の側面が２つ」言い換えれば平坦な側面を下部本体部の側面として２つ有するという意味は、上述したように１つの上部平坦面を延長したと仮定した場合に１つの平坦面とならない位置にもう一つの平坦面を設けるという意味である。なお、このような側面に平坦面を有するダウエルピンは、特に限定するものではないが、例えば、少なくとも下部本体部に相当する部分が円錐台形状の通常市販されているダウエルピンの側面を平坦面に削ることにより、製造できる。他の実施形態例においても同様である。
【００７５】
[第４の実施形態例（ダウエルピンと支持基台）]
図１１と図１２に本発明で使用されるダウエルピンの一つの実施形態例を示した。
【００７６】
図１１はこのダウエルピンの側面図（平坦面３が図の略中央になるように位置させた）であり、図１２の（ａ）は、図１１のダウエルピンの上部本体部１のＡ−Ａ´断面の端面図、図１２の（ｂ）は、上部本体部１よりわずかに下の下部本体部２のＢ−Ｂ´断面の端面図、図１２の（ｃ）は、下部本体部２のＣ−Ｃ´断面の端面図、図１２の（ｄ）は、下部本体部２のＤ−Ｄ´面の端面図である。４がローレット加工が施されているダウエルピンの固定用基端部、この態様では上部本体部１は円柱状であり、下部本体部２はダウエルピン先端部に向けて外径が上部本体部より漸減していて、その側面の一部にダウエルピン先端部まで長手方向に伸びる平坦面３が設けられている変則的な略円錐台形状であり、平坦面が設けられている側面が１つの場合である。平坦面３の部分を除いて、他の側面のダウエルピン長手方向に垂直な方向の断面形状は丸の一部（円弧状）である。このようなダウエルピンを本発明では、「固定用プレートに固定される固定用基端部と、固定用基端部の下に形成されている上部本体部と、前記上部本体部の下に形成されている下部本体部とからなり、前記ダウエルピンの前記上部本体部は円柱状であり、前記下部本体部は、ダウエルピン先端部に向けて外径が上部本体部より漸減しており、前記下部本体部の一部の側面がダウエルピン先端部まで長手方向に伸びる平坦面である変則的な略円錐台形状であり、且つ前記平坦面の側面を１つ有して」いるダウエルピンと称している。「変則的な略円錐台形状」としたのは、平坦面を有しているし、下部本体部の先端が山状に細められている場合も含むからである。この実施形態例の場合ダウエルピンの平坦面３の形状は幅が一定の態様であるが、平坦面３の形状は本発明の目的が達成できる限りこれのみに限定されるものではないが、あまり複雑な形状にすると対応する支持基台の挿入孔の壁面形状も複雑となるので、ダウエルピン先端に向かって幅が一定か、両サイドが直線状に漸次広幅になるか、漸次狭幅になる等のなるべく単純な形状が好ましい。また、平坦面３は、ダウエルピンの下部本体部の先端が山状に細められている場合には、その山状の細くなった部分の先端近傍まで設けられていなくてもよいし、かかる態様の場合も本発明に含まれる意味である。これらの事項は、他の実施形態例に関しても同様である。
【００７７】
そしてこれに対応する支持基台は、図示していないが、前記ダウエルピンが挿入される挿入孔の形状が、前記ダウエルピンの前記上部本体部と前記下部本体部が嵌合し得る形状の挿入孔を有する支持基台で、且つ、例えば、前記図１〜図１０などの説明において説明した態様が挙げられる。本実施形態のダウエルピンは、上部本体部１は円柱状であり、その下部本体部２の一部の長手方向側面がダウエルピン先端部まで長手方向に伸びる平坦面３となっており、このように平坦面の側面を１つ有し、且つ当該ダウエルピンが挿入される支持基台の挿入孔もダウエルピン本体部が嵌合し得る形状の挿入孔に形成されているので、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことによる問題点を解決できるとともに、ダウエルピンの下部本体部の側面の平坦面に対応する挿入孔内壁も平坦面となっており、切断した歯形模型付の固定用プレートの支持基台本体に対する回転やぐらつき等を十分に防止することができる。
【００７８】
[第５の実施形態例（ダウエルピンと支持基台）]
図１３と図１４に、平坦面３の幅がダウエルピン先端に向かって広くなっている形状の平坦面を有し、平坦面が設けられている側面が１つのダウエルピンの実施の形態例を示した。
【００７９】
図１３はこのダウエルピンの側面図であり（平坦面３が図の略中央になるように位置させた）、図１４の（ａ）は、上部本体部１のＡ−Ａ´断面の端面図、図１４の（ｂ）は、下部本体部２のＢ−Ｂ´断面の端面図、図１４の（ｃ）は、下部本体部２のＣ−Ｃ´断面の端面図、図１４の（ｄ）は、下部本体部２のＤ−Ｄ´面の端面図である。
【００８０】
図１１及び図１２と同じ部分には同じ符号を付して重複説明を省略している。この実施の形態例のダウエルピンも本発明では、「固定用プレートに固定される固定用基端部と、固定用基端部の下に形成されている上部本体部と、前記上部本体部の下に形成されている下部本体部とからなり、前記ダウエルピンの前記上部本体部は円柱状であり、前記下部本体部は、ダウエルピン先端部に向けて外径が上部本体部より漸減しており、その一部の側面がダウエルピン先端部まで長手方向に伸びる平坦面である変則的な略円錐台形状であり、且つ前記平坦面の側面を１つ有して」いるダウエルピンと称されるものの例である。
【００８１】
そしてこれに対応する支持基台は、図示していないが、前記ダウエルピンが挿入される挿入孔の形状が、前記ダウエルピンの前記上部本体部と前記下部本体部が嵌合し得る形状の挿入孔を有する支持基台で、例えば、前記図１〜図１０などの説明において説明した態様が挙げられる。
【００８２】
この第５の実施形態例のダウエルピンの例では、平坦面３の幅がダウエルピンの上部本体部１と下部本体部２の境界からダウエルピンの先端部に向かって広くなっている形状のダウエルピンであるが、平坦面３の幅がダウエルピンの上部本体部１と下部本体部２の境界からダウエルピンの先端部に向かって狭くなっている形状のダウエルピンであってもよい。そしてこれに対応する支持基台は、図示していないが、前記ダウエルピンが挿入される挿入孔の形状が、前記ダウエルピンの前記上部本体部と前記下部本体部が嵌合し得る形状の挿入孔を有する支持基台で、且つ、例えば、前記図１〜図１０などの説明において説明した態様が挙げられる。
【００８３】
本実施形態のダウエルピンは、上部本体部１は円柱状であり、その下部本体部２の長手方向側面がダウエルピン先端部まで長手方向に伸びる平坦面３となっており、かかる平坦面の側面を１つ有し、且つ当該ダウエルピンが挿入される支持基台の挿入孔もダウエルピン本体部が嵌合し得る形状の挿入孔に形成されているので、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことによる問題点を解決できるとともに、ダウエルピンの下部本体部の側面の平坦面に対応する挿入孔内壁も平坦面となっており、切断した歯形模型付の固定用プレートの支持基台本体に対する回転やぐらつき等を十分に防止することができる。
【００８４】
[第６の実施形態例（ダウエルピンと支持基台）]
図１５と図１６に本発明で使用されるダウエルピンの別の一つの実施形態例を示した。
【００８５】
図１５はこのダウエルピンの側面図であり（平坦面３が図の略中央になるように位置させた）、図１６の（ａ）は、上部本体部１のＡ−Ａ´断面の端面図、図１６の（ｂ）は、上部本体部１よりわずかに下の下部本体部２のＢ−Ｂ´断面の端面図、図１６の（ｃ）は、下部本体部２のＣ−Ｃ´断面の端面図、図１６の（ｄ）は、下部本体部２のＤ−Ｄ´面の端面図である。図１５のダウエルピンの側面図の裏側から見た側面図の形状も図１５と同じになるので図示を省略している。
【００８６】
４がローレット加工が施されているダウエルピンの固定用基端部、この態様では上部本体部１は円柱状であり、下部本体部２にはダウエルピン先端部に向けて外径が上部本体部１より漸減していて、その側面の一部にダウエルピン先端部まで長手方向に伸びる平坦面３、３´が設けられている変則的な略円錐台形状であり、平坦面が設けられている側面を３、３´の如く２つ有している場合である。平坦面３、３´の部分を除いて、残りの側面のダウエルピン長手方向に垂直な方向の断面形状は丸の一部（円弧状）である。このようなダウエルピンを本発明では、「固定用プレートに固定される固定用基端部と、固定用基端部の下に形成されている上部本体部と、前記上部本体部の下に形成されている下部本体部とからなり、前記ダウエルピンの前記上部本体部は円柱状であり、前記下部本体部は、ダウエルピン先端部に向けて外径が上部本体部より漸減しており、その一部の側面がダウエルピン先端部まで長手方向に伸びる平坦面である変則的な略円錐台形状であり、且つ前記平坦面の側面を２つ有して」いるダウエルピンと称されるものの例である。この場合ダウエルピンの平坦面３、３´の形状は幅が一定の態様であるが、平坦面３、３´の形状は本発明の目的が達成できる限りこれのみに限定されるものではないが、あまり複雑な形状にすると対応する支持基台の挿入孔の壁面形状も複雑となるので、なるべく単純な形状（平坦面の両サイドの縁が直線状の平坦面）が好ましい。また、平坦面は、ダウエルピンの下部本体部の先端が山状に更に細められている場合には、その山状の細くなった先端部分まで設けられていなくてもよい。また、このダウエルピンの実施形態例６では、平坦面３と３´の位置が、例えば図１６（ｃ）を例にとって説明すると、平坦面３のちょうど反対側の位置に図１６（ｃ）で示される３と３´の位置が平行になる位置に平坦面３´が位置しているが平坦面３と３´の位置は、平坦面３と３´がちょうど反対側の位置でなくてもよい。
【００８７】
そしてこれに対応する支持基台は、図示していないが、前記ダウエルピンが挿入される挿入孔の形状が、前記ダウエルピンの前記上部本体部と前記下部本体部が嵌合し得る形状の挿入孔を有する支持基台で、且つ、例えば、前記図１〜図１０などの説明において説明した態様が挙げられる。
【００８８】
本実施形態のダウエルピンは、上部本体部１は円柱状であり、その下部本体部２の長手方向側面の一部がダウエルピン先端部まで長手方向に伸びる平坦面３、３´となっており、このように平坦面の側面を２つ有し、且つ当該ダウエルピンが挿入される支持基台の挿入孔もダウエルピン本体部が嵌合し得る形状の挿入孔に形成されているので、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことによる問題点を解決できるとともに、ダウエルピンの下部本体部の側面の平坦面に対応する挿入孔内壁も平坦面となっており、切断した歯形模型付の固定用プレートの支持基台本体に対する回転やぐらつき等を十分に防止することができる。
【００８９】
[第７の実施形態例（ダウエルピンと支持基台）]
図１７と図１８に本発明で使用されるダウエルピンの更に別の一つの実施形態例を示した）。
【００９０】
図１７はこのダウエルピンの側面図であり（平坦面３が図の略中央になるように位置させた）、図１８は、上部本体部１のＡ−Ａ´断面図である。下部本体部２の長さ方向に垂直な方向の断面の端面図は図示を省略している。
【００９１】
４がローレット加工が施されているダウエルピンの固定用基端部、この態様では上部本体部１はダウエルピン先端方向に向かって若干外径が狭められている円錐台状であり、下部本体部２の形状は図１１、図１２で示したダウエルピンと同一形状としたので、図１２の（ｂ）、（ｃ）、（ｄ）に相当する図面の図示は省略した。
【００９２】
すなわちこの第７の実施形態例に示したダウエルピンの例では、上部本体部１はダウエルピン先端方向に向かって若干外径が狭められている円錐台状であることを除いて、下部本体部の態様は図１１、図１２で示したダウエルピンと同一である。この第７の実施形態例に示したダウエルピンは、「ダウエルピンの前記上部本体部はダウエルピン先端方向に向かって若干外径が狭められている円錐台状であり、前記下部本体部は、ダウエルピン先端部に向けて外径が上部本体部より漸減しており、その一部の側面がダウエルピン先端部まで長手方向に伸びる平坦面である変則的な略円錐台形状であり、且つ前記平坦面の側面を１つ有して」いるダウエルピンと称されるものの例である。
【００９３】
上部本体部１のダウエルピン先端方向に向かって外径が狭められている割合は、上部本体部１の上側の面１´より垂直におろした仮想線5と上部本体部１の側面１´´のなす角度αで、特に限定するものではないが０．５〜３度程度が好ましく、より好ましくは1〜２度程度である。下部本体部２の側面と上記仮想線5のなす角度も、特に限定するものではないが０．５〜３度程度が好ましく、より好ましくは1〜２度程度であり、下部本体部２の側面と上記仮想線5のなす角度は、仮想線5と上部本体部１の側面１´´のなす角度と同等かそれより大きいことが好ましい。尚ここで、下部本体部２の側面と上記仮想線5のなす角度の測定は、下部本体部２の側面が平坦面でない場所の側面を基準にしている。
【００９４】
尚、この第７の実施形態例のダウエルピンの例では、下部本体部２は図１１、図１２で示したダウエルピンと同一の実施形態例を示したが、下部本体部２の形状は例えば、図１３、図１４の(ｂ)、(ｃ)、(ｄ)で示したダウエルピンと同一の実施形態や図１５、図１６の(ｂ)、(ｃ)、(ｄ)で示したダウエルピンと同一の実施形態例などと同様なものでもよい。
【００９５】
そしてこれに対応する支持基台は、図示していないが、前記ダウエルピンが挿入される挿入孔の形状が、前記ダウエルピンの前記上部本体部と前記下部本体部が嵌合し得る形状の挿入孔を有する支持基台であって、且つ、例えば、前記図１〜図１０などの説明において説明した態様が挙げられる。
【００９６】
本実施形態のダウエルピンは、上部本体部１はダウエルピン先端方向に向かって若干外径が狭められている円錐台状ダウエルピンであり、その下部本体部２の一部の長手方向側面が平坦面３となっており、かかる平坦面の側面を１つ有し、且つ当該ダウエルピンが挿入される支持基台の挿入孔もダウエルピン本体部が嵌合し得る形状の挿入孔に形成されているので、ダウエルピンを支持基台の挿入孔に差し込んでダウエルピンの固定用基端部が埋没する程度に石膏を流し込んで固定用プレートを形成しても、石膏が支持基台の挿入孔に流れ込むことがなく、石膏が支持基台の挿入孔に流れ込むことを十分防止でき、また、前記ダウエルピンの上部本体部の長さが長すぎて、切断した固定用プレートの支持基台の所定の挿入孔への抜き差しがきつ過ぎて操作しにくくなることも防止できるとともに、ダウエルピンの下部本体部の側面の平坦面に対応する挿入孔内壁も平坦面となっており、切断した固定用プレートの支持基台本体に対する回転やぐらつき等を十分に防止することができる。
【００９７】
次に、これら本発明に用いる支持基台のダウエルピン挿入用の挿入孔でダウエルピンが挿入されない挿入孔に石膏が侵入するのを防止するための栓に関しその実施の形態例を説明する。
【００９８】
図２〜図５や図８、図９、図１０などの例では、支持基台のすべての挿入孔１８にダウエルピン８が挿入される態様を例示しているが、ダウエルピンは必ずしもすべての挿入孔１８に挿入されるように設ける必要がない場合もある。
【００９９】
例えば、歯形模型のうちの一つの歯に相当する部分のみを固定用プレートとともに切断し、切断した歯形模型が接合されている固定用プレートを支持基台の上面に支持させた状態で、切断した歯形模型を用いて所要の作業（例えば、歯冠補綴物の製作等）が行われるような場合には、当該切断された歯形模型の下にはダウエルピンを設ける必要があり、更に少なくともその両隣に隣接する歯形模型の下にもダウエルピンを設ける必要があるが、作業をする目的とする歯形模型から離れた部位の歯形模型の下には必ずしもダウエルピンを設ける必要がないことがある。例えば、図１０（ｂ）中の一点鎖線で示す切断線７４に沿って固定用プレート１０６Ｃを切断すると、略扇形状のプレート部７６が形成される。プレート部７６の上面（この図では図面の裏側になるので図示されていない）には図９で示した歯形模型１０４Cの歯形のもの１つが接合されている。このように歯科技工士などが作業する歯形模型が切断線７４に沿って切断された部分のみであると、例えば、図１０（ｂ）のダウエルピン８のうち、左右それぞれの端部近傍に存在するダウエルピン、例えばそれぞれ端部から１〜３番目のダウエルピンは必要がないとされる場合がある。このような場合、必要のないダウエルピンを設けておいても技術的には何ら差し支えはないが、ダウエルピンはコストがかかるので、可能であれば、必要のない位置には、ダウエルピンを設けないいで済ませたい。しかし、ダウエルピンを設けていない状態の支持基台に図７で説明したように、注入空間５０内に石膏５２を注入すると、ダウエルピンが差し込まれていない支持基台の挿入孔には石膏が侵入し、固化すると、固化した石膏が支持基台の挿入孔中に残るので、合成樹脂製の支持基台を再使用できなくなる。
【０１００】
そこで、上記のように支持基台のダウエルピン挿入用の挿入孔でダウエルピンが挿入されない挿入孔へ石膏が侵入するのを防止するために、本発明の栓を用いる。
【０１０１】
以下、添付図面を参照しながら、ダウエルピンが挿入されない支持基台の挿入孔への石膏侵入を防止するための本発明の栓について各種実施形態について説明するが、本発明の栓はこれらの実施形態例に記載されたものに限定されるものではない。
【０１０２】
[第８の実施形態例（ダウエルピンが挿入されない支持基台の挿入孔への石膏侵入を防止するための栓）]
（実施形態８−１）図１９は本発明で使用されるダウエルピンが挿入されない支持基台の挿入孔への石膏侵入を防止するための一実施形態の栓（以下単に「栓」と略称することがある。）の側面図（平坦面３ａが図の略中央になるように位置させた）であり、第４の実施形態例で説明した支持基台の挿入孔用の栓を示している。この形状や寸法は図１１や図１２で示した第４の実施形態例のダウエルピンの固定用基端部４の存在しないダウエルピンと同一形状と同一寸法の上部本体部１ａと下部本体部２ａとからなり、下部本体部２ａに第４の実施形態例のダウエルピンと同一形状同一寸法の平坦面３aが設けられている栓８ａである。固定用基端部４が存在しない点を除いて、前記ダウエルピンと同一形状と同一寸法であるので、この栓の上部本体部１ａのＡ−Ａ´断面の端面図、下部本体部２ａのＢ−Ｂ´断面の端面図、下部本体部２ａのＣ−Ｃ´断面の端面図、下部本体部２ａのＤ−Ｄ´面の端面図は、それぞれ図１２の（ａ）〜（ｄ）と同一であるので、図示を省略している。
【０１０３】
このように、本実施形態の栓の形状や寸法は、第４の実施形態例のダウエルピンの固定用基端部４の存在しないダウエルピンと同一形状と同一寸法なので、第４の実施形態例で説明した支持基台の挿入孔に挿入すると、上部本体部１ａの寸法と形状が第４の実施形態例のダウエルピンの上部本体部１の寸法と形状と同一なので、第４の実施形態例で説明したと同様の理由により、支持基台の本件の栓が施された挿入孔への石膏の侵入を防止できる。
【０１０４】
なお、この栓の素材は栓としての機能が発揮できる素材であれば特に限定されないが、ダウエルピンのような強度を必要としないのでコストの高い金属とする必要はなく、例えば、よりコストの安い合成樹脂、特に限定するものではないが、例えばポリエチレン樹脂やポリプロピレン樹脂、ポリアミド樹脂、アクリル樹脂、ポリスチレン樹脂、ポリウレタン樹脂、その他の合成樹脂など適宜の合成樹脂（炭酸カルシウムその他の充填剤、増量剤、骨材、添加剤などを含有したものも含む）などで十分である。この点は他の実施形態例においても同様であるので、他の実施形態例において重複説明を省略する場合がある。
【０１０５】
（実施形態８−２）図示していないが、第５の実施形態例の支持基台の挿入孔用の栓の場合には、その形状や寸法は図１３や図１４で示した第５の実施形態例のダウエルピンの固定用基端部４の存在しないダウエルピンと同一形状と同一寸法の上部本体部と下部本体部とからなる栓とすればよい。固定用基端部４が存在しない点を除いて、第５の実施形態例のダウエルピンと同一形状と同一寸法であるので、この栓を第５の実施形態例で説明した支持基台の挿入孔に挿入すると、第５の実施形態例で説明したと同様の理由により、支持基台の本件の栓が施された挿入孔への石膏の侵入を防止できる。
【０１０６】
（実施形態８−３）同様に図示していないが、第６の実施形態例の支持基台の挿入孔用の栓の場合には、その形状や寸法は図１５や図１６で示した第６の実施形態例のダウエルピンの固定用基端部４の存在しないダウエルピンと同一形状と同一寸法の上部本体部と下部本体部とからなる栓とすればよい。固定用基端部４が存在しない点を除いて、第６の実施形態例のダウエルピンと同一形状と同一寸法であるので、この栓を第６の実施形態例で説明した支持基台の挿入孔に挿入すると、第６の実施形態例で説明したと同様の理由により、支持基台の本件の栓が施された挿入孔への石膏の侵入を防止できる。
【０１０７】
（実施形態８−４）更に、同様に図示していないが、第７の実施形態例の支持基台の挿入孔用の栓の場合には、その形状や寸法は図１７や図１８で示した第７の実施形態例で説明したダウエルピンの固定用基端部４の存在しないダウエルピンと同一形状と同一寸法の上部本体部と下部本体部とからなる栓とすればよい。固定用基端部４が存在しない点を除いて、第７の実施形態例のダウエルピンと同一形状と同一寸法であるので、この栓を第７の実施形態例で説明した支持基台の挿入孔に挿入すると、第７の実施形態例で説明したと同様の理由により、支持基台の本件の栓が施された挿入孔への石膏の侵入を防止できる。
【０１０８】
[第９の実施形態例（ダウエルピンが挿入されない支持基台の挿入孔への石膏侵入を防止するための栓）]
（実施形態９−１）図２０に本発明で使用されるダウエルピンが挿入されない支持基台の挿入孔への石膏侵入を防止するための栓の側面図（平坦面３ａが図の略中央になるように位置させた）を示した。第４の実施形態例で説明した支持基台の挿入孔用の栓の別の態様である。
【０１０９】
この態様は図１９で説明した実施形態８−１の栓の下部本体部２ａをその途中で切断した形状の栓である。この栓も上部本体部１ａが存在するので、支持基台の本件の栓が施された挿入孔への石膏の侵入を防止できる。尚、下部本体部２ａの長さは図１９で示したものより短いが本図２０で示したものより長くしてもよいし、図２０で示したものより更に短くてもよい（この点は以下の実施形態９−２〜９−４においても同様である。）。上記のように、この態様は図１９で説明した実施形態８−１の栓の下部本体部２ａをその途中で切断した形状の栓であるので、下部本体部２ａが短くされている以外は、図１９で説明した実施形態８−１の栓と、その形状、寸法等は同一であるので、断面の端面図などは図示を省略している。尚、３ａは平坦面である。
【０１１０】
（実施形態９−２）図示していないが、第５の実施形態例の支持基台の挿入孔用の栓であり、その形状や寸法は実施形態８−２で説明した栓の下部本体部をその途中で切断した形状の栓である。この栓も上部本体部が存在するので、支持基台の本件の栓が施された挿入孔への石膏の侵入を防止できる。
【０１１１】
（実施形態９−３）図示していないが、第６の実施形態例の支持基台の挿入孔用の栓であり、その形状や寸法は実施形態８−３で説明した栓の下部本体部をその途中で切断した形状の栓である。この栓も上部本体部が存在するので、支持基台の本件の栓が施された挿入孔への石膏の侵入を防止できる。
【０１１２】
（実施形態９−４）図示していないが、第７の実施形態例の支持基台の挿入孔用の栓のであり、その形状や寸法は実施形態８−４で説明した栓の下部本体部をその途中で切断した形状の栓である。この栓も上部本体部が存在するので、支持基台の本件の栓が施された挿入孔への石膏の侵入を防止できる。
【０１１３】
[第１０の実施形態例（ダウエルピンが挿入されない支持基台の挿入孔への石膏侵入を防止するための栓）]
（実施形態１０−１）図２１に本発明で使用されるダウエルピンが挿入されない支持基台の挿入孔への石膏侵入を防止するための栓の一実施形態の側面図を示した。第４、第５及び第６の実施形態例で説明した支持基台の挿入孔用の栓の別の態様である。この栓のＡ−Ａ´断面の端面図は図１２（ａ）、図１４（ａ）、図１６（ａ）と同一であるので図示を省略している。つまり円柱状である。
【０１１４】
すなわち、図１９で示した実施形態８−１の上部本体部１ａのみからなる栓である。この栓も第４から第６の実施形態例で説明したダウエルピンの上部本体部１と同じ形状、寸法なので、第４から第６の実施形態例で説明したと同様の理由で、支持基台の本件の栓が施された挿入孔への石膏の侵入を防止できる。
【０１１５】
（実施形態１０−２）図示していないが、第７の実施形態例の支持基台の挿入孔用の栓のであり、その形状や寸法は第７の実施形態例のダウエルピンの図１７、図１８の上部本体部１と同一の形状で同一の寸法の栓である。すなわち円錐台形状の栓である。この栓も第７の実施形態例のダウエルピンの上部本体部と同じ形状なので、第７の実施形態例の支持基台において本件の栓が施された挿入孔への石膏の侵入を防止できる。
【０１１６】
[第１１の実施形態例（ダウエルピンが挿入されない支持基台の挿入孔への石膏侵入を防止するためと歯形模型の傾きを防止するための栓）]
（実施形態１１−１）図２２は本発明で使用されるダウエルピンが挿入されない支持基台の挿入孔への石膏侵入を防止するためと歯形模型の傾きを防止するための栓（以下単に「栓」と略称することがある。）の一実施形態の側面図（平坦面３ａが図の下部本体部２ａの略中央になるように位置させた）であり、図２３は、前記頭部ブロック付栓の頭部ブロック上部から見た平面図であり、第４の実施形態例で説明した支持基台の挿入孔用の栓を示している。この栓は、図１９で示した栓の上部本体部１ａの上部に更に頭部ブロック５ａが存在する形状の栓である。前記頭部ブロック５ａの上部から見た平面図を図２３に示した。図２３中、上部本体部１ａの位置を示すため、点線１ｂでその位置を示した。頭部ブロック５ａの上部から見た平面の面積は、前記上部本体部１ａの上端部１ｂの平面の面積（符号１ｂａ参照）より、大きな平面積を有する頭部ブロックであり、当該頭部ブロックにおいては、上部本体部１ａの上端部１ｂから頭部ブロック５ａの最上面までの高さａ１は、用いるダウエルピンの固定用基端部４の長さと同一にした頭部ブロックが形成されている。
【０１１７】
このような頭部ブロックを有する栓８ｂは、例えば、図２４で説明するような場合に使用される。図２４は支持基台の挿入孔１８の一部にダウエルピン８を挿入し、他の挿入孔１８の一部に頭部ブロックを有しない本発明の栓８ａを装着し、且つ残りの挿入孔１８に頭部ブロックを有する栓８ｂを装着する場合の説明用分解斜視図である。図２４においては、図９、図１０と同一部分には同一の符号を付して符号の説明を省略している部分がある。
【０１１８】
図２４に示すように例えばダウエルピン８がこの図では４本使用され支持基台本体１２Ｃの矢印で示した挿入孔１８に挿入され、本発明の栓８ａが両脇の挿入孔１８以外の挿入孔に装着された場合を想定して説明する。このような場合、もし、両脇の挿入孔１８にも栓８ａが装着されたと仮定すると、栓８ａの上面は、いずれも支持基台本体の上壁１６Ｃと実質上同一平面になる。一方、４本のダウエルピン８は、挿入孔１８に挿入された場合、固定用基端部４が支持基台本体１２Ｃの上壁１６Ｃや栓８ａの上面より高く突出することになる。この状態で、図５〜図７で説明したと同様に、成形用基枠４６Ｃを支持基台本体１２Ｃに装着し、それによって生じた図６の注入空間５０に相当する部分に石膏（図示せず。図７の符号５２に相当）を注入し、ダウエルピン８の固定用基端部４が石膏で完全に浸漬されるまで石膏を注入し、当該石膏が硬化していない状態で、歯形模型１０４Ｃをこの注入された未硬化状態の流動性のある石膏の上に載せると、４本のダウエルピン８の固定用基端部４は栓８ａより突出しているため、歯形模型１０４Ｃが傾いてしまうことがある。このような歯形模型１０４Ｃの傾きを防止するため、適宜の位置に（この図２４では両脇の挿入孔１８に）、本発明の頭部ブロック５ａを有する栓８ｂを使用すると、前記栓の上部本体部１ａの上端部１ｂから頭部ブロック５ａの最上面までの高さ（図２２のａ１）は、前記ダウエルピン８の上部本体部１の上端部に相当する部分からダウエルピンの固定用基端部４の端部までの寸法と同一にされており、しかも頭部ブロック５ａの上面は、栓の上部本体部１ａの上端部１ｂの平面の面積（図２３の１ｂ参照）より、大きな平面積を有する頭部ブロックであるので、未硬化状態の流動性のある石膏の上に歯形模型を載せても歯形模型が傾いてしまうことを防止できるとともに、栓８ａ、８ｂが施された挿入孔１８及びダウエルピン８が挿入されている挿入孔１８に石膏が侵入することを防止できる。この、機能は、頭部ブロックを有する他の、実施形態の栓においても同様であるので、以後の実施形態では、この機能の説明を省略している。尚、注入した石膏が硬化しないうちにその上に歯形模型を載せずに、一旦注入した石膏を硬化させたタイプの固定用プレートとした後、歯形模型をその上に適宜の接着剤などで固定する場合には、頭部ブロックを有する栓８ｂを用いずに、上述した頭部ブロックのない栓８ａを使用しても良い。この点も他の、実施形態の栓においても同様である。
【０１１９】
また、頭部ブロック付栓における、頭部ブロックの上部から見た平面の面積は、前記栓の上部本体部1aの上端部１ｂ（図２３でも符号１ｂで示した）の平面の面積より、大きな平面積を有することが、歯形模型の下面を支えるのに必要である。頭部ブロックの上部から見た平面の面積は、図２５や図２６に図８（ａ）や、図１０（ａ）で示した歯科技工用作業模型の支持基台の上面を示す図の上にＰ１，Ｐ２，Ｐ３，Ｐ４やＰ５，Ｐ６，Ｐ７，Ｐ８などの点線で囲まれた領域を示したが、当該領域と同一かそれより小さいことが好ましい。Ｐ１―Ｐ２、Ｐ３―Ｐ４、Ｐ５―Ｐ６、Ｐ７―Ｐ８のラインは、隣接する挿入孔１８の間を２等分するラインであり、従って、Ｐ２―Ｐ３間ならびにＰ１―Ｐ４間、或いはＰ５―Ｐ８間ならびにＰ６―Ｐ７の幅（図２３で示せば長さｂ１に相当）は、より大きくてもよいが、大きすぎると、隣接する挿入孔１８にも頭部ブロック付栓をもし挿入することが必要になった場合に、頭部ブロック同士が重なり合うと、頭部ブロックの重なり合う部分を一部削って、面積を小さくする必要があり、手間がかかるので、上記範囲内が好ましい。一方、上記と直角方向の長さ、Ｐ１―Ｐ２間、Ｐ３―Ｐ４間、Ｐ５―Ｐ６間、Ｐ７―Ｐ８間の長さ（図２３で示せば長さｃ１に相当）は、図示の範囲内すなわち支持基台の幅の範囲内である。前記範囲内であると、例えば図２４で示した製造工程で、成形用基枠４６Ｃより頭部ブロックがはみ出さないので好ましい。
【０１２０】
即ち、頭部ブロックの上部から見た平面の面積は、前記栓の上部本体部１ａの上端部１ｂ（図２３でも符号１ｂで示した）の平面の面積より、大きな平面積を有し、且つ、Ｐ１，Ｐ２，Ｐ３，Ｐ４やＰ５，Ｐ６，Ｐ７，Ｐ８などの点線で囲まれたと同一かそれより小さいことが好ましい。このことは、頭部ブロック付栓の他の実施形態についても同様である。そして例えば、図２５や図２６に示した歯科技工用作業模型の支持基台に係止用突部（この場合は係止用小突部33や33Ｃなど）が存在する場合、その上に頭部ブロックが重ならないようにやや小さめの頭部ブロックとするなど、上記範囲で適宜大きさは決めればよい。また、頭部ブロックの平面形状は、上述したように、歯形模型を載せても歯形模型が傾いてしまうことを防止できる形状であれば、４角形に限られるものではなく、楕円形、円形、多角形、不定形など任意である。この点も頭部ブロック付栓の他の実施形態についても同様である。また、歯科技工用作業模型の支持基台に係止用突部などが存在しないか、或いは、係止用凹部が存在する場合には、前記のように、係止用突部の上に頭部ブロックが重ならないようにやや小さめの頭部ブロックとする必要は特にないが、歯形模型が傾いてしまうことを防止できるに必要な大きさであれば、小さめの頭部ブロックを用いてもよいことは勿論である。
【０１２１】
このように、本実施形態の栓の形状や寸法は、頭部ブロックが形成されていることを除いて第４の実施形態例のダウエルピンの固定用基端部４の存在しないダウエルピンと同一形状と同一寸法ないしは図１９で示した実施形態８−１の栓8aと同一形状と同一寸法なので、第４の実施形態例で説明した支持基台の挿入孔に挿入すると、上部本体部１ａの寸法と形状が第４の実施形態例のダウエルピンの上部本体部１の寸法と形状と同一なので、第４の実施形態例で説明したと同様の理由により、支持基台の本件の栓が施された挿入孔への石膏の侵入を防止できる。しかも、未硬化状態の流動性のある石膏の上に歯形模型を載せて歯科技工用作業模型を作成する場合に歯形模型の傾きを防止でき好ましい。
【０１２２】
また、上部本体部並びに下部本体部は、図２７にそのブロック付き栓８ｂを側面図で示したように、図２２の栓の下部本体部2aをその途中で切断した形状としてもよいし、図２８にそのブロック付き栓を側面図で示したように、図２２の栓において下部本体部がなく上部本体部1aと頭部ブロック5aのみからなる頭部ブロック付き栓８ｂの形態としてもよい。
【０１２３】
なお、この頭部ブロック付きの栓の素材も栓としての機能が発揮できる素材であれば特に限定されないが、ダウエルピンのような強度を必要としないのでコストの高い金属とする必要はなく、例えば、よりコストの安い合成樹脂、特に限定するものではないが、例えばポリエチレン樹脂やポリプロピレン樹脂、ポリアミド樹脂、アクリル樹脂、ポリスチレン樹脂、ポリウレタン樹脂、その他の合成樹脂など適宜の合成樹脂（炭酸カルシウムその他の充填剤、増量剤、骨材、添加剤などを含有したものも含む）などで十分である。この点は他の実施形態例においても同様であるので、他の実施形態例において重複説明を省略する場合がある。
【０１２４】
（実施形態１１−２）図示していないが、第５の実施形態例の支持基台の挿入孔用の頭部ブロック付き栓の場合には、その上部本体部や下部本体部の形状や寸法は図１３や図１４で示した第５の実施形態例のダウエルピンの固定用基端部４の存在しないダウエルピンと同一形状と同一寸法の上部本体部と下部本体部とからなる栓とすればよい。頭部ブロックの形状は上記実施形態１１−１で説明したものとすることができる。この栓を第５の実施形態例で説明した支持基台の挿入孔に挿入すると、上記実施形態１１−１で説明したと同様の機能が発揮できる。
【０１２５】
また、上部本体部並びに下部本体部は、図２７や図２８の場合と同様に、下部本体部をその途中で切断した形状としてもよいし、下部本体部がなく上部本体部と頭部ブロックのみからなる頭部ブロック付き栓の形態としてもよい。
【０１２６】
（実施形態１１−３）同様に図示していないが、第６の実施形態例の支持基台の挿入孔用の頭部ブロック付き栓の場合には、その上部本体部や下部本体部の形状や寸法は図１５や図１６で示した第６の実施形態例のダウエルピンの固定用基端部４の存在しないダウエルピンと同一形状と同一寸法の上部本体部と下部本体部とからなる栓とすればよい。頭部ブロックの形状は上記実施形態１１−１で説明したものとすることができる。この栓を第６の実施形態例で説明した支持基台の挿入孔に挿入すると、上記実施形態１１−１で説明したと同様の機能が発揮できる。
【０１２７】
また、上部本体部並びに下部本体部は、図２７や図２８の場合と同様に、下部本体部をその途中で切断した形状としてもよいし、下部本体部がなく上部本体部と頭部ブロックのみからなる頭部ブロック付き栓の形態としてもよい。
【０１２８】
（実施形態１１−４）更に、同様に図示していないが、第７の実施形態例の支持基台の挿入孔用の頭部ブロック付き栓の場合には、その上部本体部や下部本体部の形状や寸法は図１７や図１８で示した第７の実施形態例で説明したダウエルピンの固定用基端部４の存在しないダウエルピンと同一形状と同一寸法の上部本体部と下部本体部とからなる栓とすればよい。頭部ブロックの形状は上記実施形態１１−１で説明したものとすることができる。この栓を第７の実施形態例で説明した支持基台の挿入孔に挿入すると、上記実施形態１１−１で説明したと同様の機能が発揮できる。
【０１２９】
また、上部本体部並びに下部本体部は、図２７や図２８の場合と同様に、下部本体部をその途中で切断した形状としてもよいし、下部本体部がなく上部本体部と頭部ブロックのみからなる頭部ブロック付き栓の形態としてもよい。
【０１３０】
[第１２の実施形態例（ダウエルピンが挿入されない支持基台の挿入孔への石膏侵入を防止するためと歯形模型の傾きを防止するための栓）]
（実施形態１２−１）図２９は本発明で使用されるダウエルピンが挿入されない支持基台の挿入孔への石膏侵入を防止するためと歯形模型の傾きを防止するための栓（以下単に「栓」と略称することがある。）の一実施形態の側面図（平坦面３ａが図の下部本体部２ａの略中央になるように位置させた）であり、図３０は、前記頭部ブロック付栓の頭部ブロック上部から見た平面図であり、第４の実施形態例で説明した支持基台の挿入孔用の栓を示している。この栓は、頭部ブロックの形状が異なる点を除いて、その他の点は、図２２で示した頭部ブロック付栓と同一なので、同一部分には図２２に付した符号と同一の符号を付して、重複説明を省略している。
【０１３１】
図２９、図３０において頭部ブロック5aは、係止用突部などが存在する支持基台に栓をした場合でも栓の頭部ブロック5aの下面が、係止用突部に接触して頭部ブロックが傾かないように、支持基台の係止用突部が存在する位置に対応する位置に、係止用突部の高さより高い切り欠部５ｂを設けた態様の頭部ブロックを有する栓である。切り欠部の高さe１は用いる支持基台の係止用突部の高さ以上の高さとすればよい。切り欠部の幅ｆ１は、支持基台の係止用突部が存在する位置より上部本体部1a側方向に入り込んだ位置までの幅とすればよい。
【０１３２】
この頭部ブロック付き栓は、支持基台に係止用突部が存在する支持基台の栓としても使用できるが、係止用突部などが存在しないか、或いは、係止用凹部が存在する支持基台にも使用できる。
【０１３３】
この栓を第４の実施形態例で説明した支持基台の挿入孔に挿入すると、上記実施形態１１−１で説明したと同様の機能が発揮できる。
【０１３４】
また、上部本体部並びに下部本体部は、図３１にそのブロック付き栓８ｂを側面図で示したように、図２９の栓の下部本体部2aをその途中で切断した形状としてもよいし、図３２にそのブロック付き栓を側面図で示したように、図２９の栓において下部本体部がなく上部本体部1aと頭部ブロック5aのみからなる頭部ブロック付き栓８ｂの形態としてもよい。これらの栓も例えば第４の実施形態例で説明した支持基台の挿入孔に挿入すると、上記実施形態１１−１で説明したと同様の機能が発揮できる。
【０１３５】
（実施形態１２−２）図示していないが、第５の実施形態例の支持基台の挿入孔用の頭部ブロック付き栓の場合には、その上部本体部や下部本体部の形状や寸法は図１３や図１４で示した第５の実施形態例のダウエルピンの固定用基端部４の存在しないダウエルピンと同一形状と同一寸法の上部本体部と下部本体部とからなる栓とすればよい。頭部ブロックの形状は上記実施形態１２−１で説明したものとすることができる。この栓を第５の実施形態例で説明した支持基台の挿入孔に挿入すると、上記実施形態１２−１で説明したと同様の機能が発揮できる。
【０１３６】
また、上部本体部並びに下部本体部は、図３１や図３２の場合と同様に、下部本体部をその途中で切断した形状としてもよいし、下部本体部がなく上部本体部と頭部ブロックのみからなる頭部ブロック付き栓（この場合は、図３２の栓と同一になる）の形態としてもよい。
【０１３７】
（実施形態１２−３）同様に図示していないが、第６の実施形態例の支持基台の挿入孔用の頭部ブロック付き栓の場合には、その上部本体部や下部本体部の形状や寸法は図１５や図１６で示した第６の実施形態例のダウエルピンの固定用基端部４の存在しないダウエルピンと同一形状と同一寸法の上部本体部と下部本体部とからなる栓とすればよい。頭部ブロックの形状は上記実施形態１２−１で説明したものとすることができる。この栓を第６の実施形態例で説明した支持基台の挿入孔に挿入すると、上記実施形態１２−１で説明したと同様の機能が発揮できる。
【０１３８】
また、上部本体部並びに下部本体部は、図３１や図３２の場合と同様に、下部本体部をその途中で切断した形状としてもよいし、下部本体部がなく上部本体部と頭部ブロックのみからなる頭部ブロック付き栓の形態（この場合は、図３２の栓と同一になる）としてもよい。
【０１３９】
（実施形態１２−４）更に、同様に図示していないが、第７の実施形態例の支持基台の挿入孔用の頭部ブロック付き栓の場合には、その上部本体部や下部本体部の形状や寸法は図１７や図１８で示した第７の実施形態例で説明したダウエルピンの固定用基端部４の存在しないダウエルピンと同一形状と同一寸法の上部本体部と下部本体部とからなる栓とすればよい。頭部ブロックの形状は上記実施形態１２−１で説明したものとすることができる。この栓を第７の実施形態例で説明した支持基台の挿入孔に挿入すると、上記実施形態１２−１で説明したと同様の機能が発揮できる。
【０１４０】
また、上部本体部並びに下部本体部は、図３１や図３２の場合と同様に、下部本体部をその途中で切断した形状としてもよいし、下部本体部がなく上部本体部と頭部ブロックのみからなる頭部ブロック付き栓の形態としてもよい。
【０１４１】
[第１３の実施形態例（ダウエルピンが挿入されない支持基台の挿入孔への石膏侵入を防止するためと歯形模型の傾きを防止するための栓）]
（実施形態１３−１）図３３は本発明で使用されるダウエルピンが挿入されない支持基台の挿入孔への石膏侵入を防止するためと歯形模型の傾きを防止するための栓（以下単に「栓」と略称することがある。）の一実施形態の側面図（平坦面３ａが図の下部本体部２ａの略中央になるように位置させた）であり、図３４は、前記頭部ブロック付栓の頭部ブロック上部から見た平面図であり、第４の実施形態例で説明した支持基台の挿入孔用の栓を示している。この栓は、頭部ブロックの形状が異なる点を除いて、その他の点は、図２２で示した頭部ブロック付栓と同一なので、同一部分には図２２に付した符号と同一の符号を付して、重複説明を省略している。
【０１４２】
図３３、図３４において頭部ブロック5aは、係止用突部などが存在する支持基台に栓をした場合でも栓の頭部ブロックの下面が、係止用突部に接触して頭部ブロックが傾かないように、係止用突部の高さより高い台部６aを設けて、前記頭部ブロック５ａの下面が係止用突部と接触しない高さに保っている態様の栓である。台部６aは、特に限定するものではないが、好ましくは上部本体部１ａと平面形状がほぼ同一の形状であり、上部本体部１ａの上に設けられた態様の頭部ブロックを有する栓である。台部６aの上端部６ｂの平面形状は、図３４中に点線で示した。台部６aの高さｈ１は用いる支持基台の係止用突部の高さより大きい高さとすればよい。但し、上部本体部１ａの上端部１ｂから当該頭部ブロック5aの最上面までの高さａ１は、前記上部本体部１ａの上端部１ｂに相当する部分からダウエルピンの固定用基端部の寸法（長さ）と同一にした頭部ブロック付栓である。
【０１４３】
簡単に概略して説明すれば、上部本体部１ａが、台部6aとして高さｈ１だけ更に上方に伸びたが、上部本体部１ａの上端部１ｂから頭部ブロック５ａの最上面までの高さａ１は、例えば図２２で示した上部本体部１ａの上端部１ｂから頭部ブロック５ａの最上面までの高さａ１と同一なので、頭部ブロック５ａの厚さが、図２２で示した頭部ブロック５ａの厚さａ１より、ｈ１だけ薄くなった態様である。
【０１４４】
この栓を第４の実施形態例で説明した支持基台の挿入孔に挿入すると、挿入孔中に下部本体部２ａと上部本体部１ａのみが支持基台の挿入孔１８中に入り込み、台部６aも含めた頭部ブロック５ａが、支持基台の上壁１６Ｃより上方に位置することになる。従ってこの栓の上部本体部１ａの存在により支持基台の本件の栓が施された挿入孔への石膏の侵入を防止できる。そして支持基台の上壁１６Ｃから頭部ブロック５ａの最上面までの高さはａ１であり、ａ１は用いるダウエルピンの固定用基端部４の長さと同一であるので、未硬化状態の流動性のある石膏の上に歯形模型を載せて歯科技工用作業模型を作成する場合に歯形模型の傾きを防止できる。しかも、頭部ブロックの下面が係止用突部と接触しない高さに保って形成されている頭部ブロック付栓となるので、この頭部ブロック付栓は、係止用突部などが存在する支持基台に栓をした場合でも栓の頭部ブロックの下面が、係止用突部に接触して頭部ブロックが傾くことがない。この機能は、この後の実施形態においても同様であるので、この後の実施形態においてこの機能の説明は省略する。なお、特に限定するものではないが、栓８ｂの下部本体２ａ、上部本体部１ａ、台部６ａ、頭部ブロック５ａは、通常、栓８ｂとして一体的に成形される。
【０１４５】
この態様の頭部ブロック付き栓は、支持基台に係止用突部が存在する支持基台の栓としても使用できるが、係止用突部などが存在しないか、或いは、係止用凹部が存在する支持基台にも使用できる。この点は、この後の実施形態の頭部ブロック付栓においても同様であるので、この後の実施形態においてこの点の重複説明は省略する。
【０１４６】
また、上記態様の栓において、上部本体部並びに下部本体部は、図３５にそのブロック付き栓８ｂを側面図で示したように、図３３の栓の下部本体部2aをその途中で切断した形状としてもよいし、図３６にそのブロック付き栓を側面図で示したように、図３３の栓において下部本体部がなく上部本体部1aと台部６ａ及び頭部ブロック5aのみからなる頭部ブロック付き栓８ｂの形態としてもよい。これらの栓も例えば第４の実施形態例で説明した支持基台の挿入孔に挿入すると、上記で説明したと同様の機能が発揮できる。
【０１４７】
（実施形態１３−２）図示していないが、第５の実施形態例の支持基台の挿入孔用の頭部ブロック付き栓の場合には、その上部本体部や下部本体部の形状や寸法は図１３や図１４で示した第５の実施形態例のダウエルピンの固定用基端部４の存在しないダウエルピンと同一形状と同一寸法の上部本体部と下部本体部とからなる栓とすればよい。頭部ブロック5aと台部６ａの形状は上記実施形態１３−１で説明したものとすることができる。この栓を第５の実施形態例で説明した支持基台の挿入孔に挿入すると、上記実施形態１３−１で説明したと同様の機能が発揮できる。
【０１４８】
また、上部本体部並びに下部本体部は、図３５や図３６の場合と同様に、下部本体部をその途中で切断した形状としてもよいし、下部本体部がなく上部本体部と頭部ブロックのみからなる頭部ブロック付き栓（この場合は、図３６の栓と同一になる）の形態としてもよい。
【０１４９】
（実施形態１３−３）同様に図示していないが、第６の実施形態例の支持基台の挿入孔用の頭部ブロック付き栓の場合には、その上部本体部や下部本体部の形状や寸法は図１５や図１６で示した第６の実施形態例のダウエルピンの固定用基端部４の存在しないダウエルピンと同一形状と同一寸法の上部本体部と下部本体部とからなる栓とすればよい。頭部ブロックと台部の形状は上記実施形態１３−１で説明したものとすることができる。この栓を第６の実施形態例で説明した支持基台の挿入孔に挿入すると、上記実施形態１３−１で説明したと同様の機能が発揮できる。
【０１５０】
また、上部本体部並びに下部本体部は、図３５や図３６２の場合と同様に、下部本体部をその途中で切断した形状としてもよいし、下部本体部がなく上部本体部と頭部ブロックのみからなる頭部ブロック付き栓の形態（この場合は、図３６の栓と同一になる）としてもよい。
【０１５１】
（実施形態１３−４）更に、同様に図示していないが、第７の実施形態例の支持基台の挿入孔用の頭部ブロック付き栓の場合には、その上部本体部や下部本体部の形状や寸法は図１７や図１８で示した第７の実施形態例で説明したダウエルピンの固定用基端部４の存在しないダウエルピンと同一形状と同一寸法の上部本体部と下部本体部とからなる栓とすればよい。頭部ブロックの形状は上記実施形態１３−１で説明したものとすることができる。また台部の形状は、例えば、図１７の上部本体部１の上側の面１´と同様の平面形状を有する円柱形状で、上記実施形態１３−１で説明したｈ１の高さを有する台部とすることができる。
【０１５２】
この栓を第７の実施形態例で説明した支持基台の挿入孔に挿入すると、上記実施形態１３−１で説明したと同様の機能が発揮できる。
【０１５３】
また、上部本体部並びに下部本体部は、図３５や図３６の場合と同様に、下部本体部をその途中で切断した形状としてもよいし、下部本体部がなく上部本体部と頭部ブロックのみからなる頭部ブロック付き栓の形態としてもよい。
【産業上の利用可能性】
【０１５４】
本発明は、歯科技工用作業模型のダウエルピンとその挿入孔を有する支持基台や、前記挿入孔に石膏に進入を防止するために用いる栓として有用であり、これらを用いた歯科技工用作業模型の作成に有用に利用できる。
【符号の説明】
【０１５５】
１  ダウエルピンの上部本体部
２  ダウエルピンの下部本体部
３、３´  ダウエルピンの平坦面
４  ダウエルピンの固定用基端部
１´  ダウエルピンの上部本体部１の上側の面
１´´  ダウエルピンの上部本体部１の側面
５  ダウエルピンの上部本体部１の上側の面１´より垂直におろした仮想線
１０２，１０２Ｃ  歯科技工用作業模型
１０４，１０４Ｃ  歯形模型
１０６，１０６Ｃ  固定用プレート
８  ダウエルピン
１０，１０Ｃ  支持基台
１２，１２Ｃ  支持基台本体
１４  周側壁
１６  上壁
１８  挿入孔
２０  空間
２２  筒状突部
２４ 係止用突部
２５ 係止用突条
３３，３３Ｃ  係止用小突部
３４  位置識別用突部
３６  係止用凹部
３７ 係止用凹条
４５，４５Ｃ  係止用小凹部
４６，４６Ｃ  成形用基枠
５０  注入空間
５２  石膏
１ａ  上部本体部
１ｂ  上部本体部の上端部
２ａ  下部本体部
３ａ  平坦面
８ａ  栓
８ｂ  頭部ブロックを有する栓
５ａ  頭部ブロック
５ｂ  切り欠部
６a  台部
６b  台部の上端部
【図１】
2018033784.tif 000003
【図２】
2018033784.tif 000004
【図３】
2018033784.tif 000005
【図４】
2018033784.tif 000006
【図５】
2018033784.tif 000007
【図６】
2018033784.tif 000008
【図７】
2018033784.tif 000009
【図８】
2018033784.tif 000010
【図９】
2018033784.tif 000011
【図１０】
2018033784.tif 000012
【図１１】
2018033784.tif 000013
【図１２】
2018033784.tif 000014
【図１３】
2018033784.tif 000015
【図１４】
2018033784.tif 000016
【図１５】
2018033784.tif 000017
【図１６】
2018033784.tif 000018
【図１７】
2018033784.tif 000019
【図１８】
2018033784.tif 000020
【図１９】
2018033784.tif 000021
【図２０】
2018033784.tif 000022
【図２１】
2018033784.tif 000023
【図２２】
2018033784.tif 000024
【図２３】
2018033784.tif 000025
【図２４】
2018033784.tif 000026
【図２５】
2018033784.tif 000027
【図２６】
2018033784.tif 000028
【図２７】
2018033784.tif 000029
【図２８】
2018033784.tif 000030
【図２９】
2018033784.tif 000031
【図３０】
2018033784.tif 000032
【図３１】
2018033784.tif 000033
【図３２】
2018033784.tif 000034
【図３３】
2018033784.tif 000035
【図３４】
2018033784.tif 000036
【図３５】
2018033784.tif 000037
【図３６】
2018033784.tif 000038